(57)【要約】  ライセンススペクトルアクセスのための１次セル（４０６）と認可不要スペクトルアクセスのための２次セル（４０８）とを含む無線アクセスネットワークＲＡＮ（４０４）を使用する通信が、１次セル（４０６）と２次セル（４０８）との特性を考慮しながら最適性能を与えるように改善され得る。装置はコアネットワークエンティティ（４１０）であり得る。コアネットワークエンティティ（４１０）は、認可スペクトルを利用する１次セル（４０６）と、認可不要スペクトルを利用する２次セル（４０８）とを含むＲＡＮ（４０４）に接続される。コアネットワークエンティティ（４１０）は、データトラフィック特性に基づいて、データトラフィックが２次セル（４０８）にオフロードされるための許可を決定する。コアネットワーク（４１０）は許可の指示をＲＡＮ（４０４）に送信する。
2018522496.tif 000002
【特許請求の範囲】
【請求項１】
コアネットワークエンティティによるワイヤレス通信の方法であって、ここにおいて、前記コアネットワークエンティティが、認可スペクトルを利用する１次セルと、認可不要スペクトルを利用する２次セルとを含む無線アクセスネットワーク（ＲＡＮ）に接続され、前記方法は、
データトラフィック特性に基づいて、データトラフィックが前記２次セルにオフロードされるための許可を決定することと、
前記許可の指示を前記ＲＡＮに送信することと
を備える、方法。
【請求項２】
前記許可の前記指示が、前記１次セル上で送信されるデータトラフィックのための別のサービス品質（ＱｏＳ）クラス識別子（ＱＣＩ）とは別個であるＱＣＩを含み、ここにおいて、前記ＱＣＩが、前記２次セルにオフロードされることを許可された前記データトラフィックを識別する記述子に関連するオフロード指示を含む、請求項１に記載の方法。
【請求項３】
前記オフロード指示は、前記データトラフィックがオフロードされることを許容されるという指示、または前記２次セルが利用可能であるときはいつでも、前記データトラフィックが前記２次セルにオフロードされるべきであるという指示のうちの少なくとも１つを含み、
ここにおいて、前記オフロード指示が、前記２次セル上のアップリンク通信、前記２次セル上のダウンリンク通信、または前記２次セル上の前記アップリンク通信と前記２次セル上の前記ダウンリンク通信の両方のうちの少なくとも１つに適用される、請求項２に記載の方法。
【請求項４】
前記許可の前記指示は、オフロードされることを許容されたベアラが、前記２次セルの上でルーティングされるように課金されることを示し、
ここにおいて、前記データトラフィックが前記２次セルにオフロードされるための前記許可を前記決定することが、ポリシーおよび課金ルール機能（ＰＣＲＦ）から前記ＲＡＮのためのセル特性に関連するポリシーを受信することを備え、
ここにおいて、前記許可の前記指示が、前記受信されたポリシーに基づいて決定される、請求項１に記載の方法。
【請求項５】
前記許可の前記指示が、前記１次セルを利用すべきなのか、前記２次セルを利用すべきなのか、前記１次セルと前記２次セルの両方を利用すべきなのかを示すために無線ベアラをマークすること、または前記受信されたポリシーに基づいて決定されたセル使用ルールを識別することのうちの少なくとも１つのために使用され、ここにおいて、前記１次セルおよび前記２次セルが、前記セル使用ルールに基づいて利用される、請求項４に記載の方法。
【請求項６】
前記許可の前記指示が、オペレーション、アドミニストレーションおよびメンテナンス（ＯＡＭ）プロトコルを介して前記ＲＡＮに送信される、請求項１に記載の方法。
【請求項７】
ユーザ機器について、前記１次セルのための第１のアグリゲート最大ビットレート（ＡＭＢＲ）値と、前記２次セルのための第２のＡＭＢＲ値とを決定することと、
前記第１のＡＭＢＲ値が前記１次セルのためのものであり、前記第２のＡＭＢＲ値が前記２次セルのためのものであるという指示とともに、前記第１のＡＭＢＲ値と前記第２のＡＭＢＲ値とを前記ＲＡＮに送信することと
をさらに備え、
ここにおいて、前記第１のＡＭＢＲ値が、前記１次セルのための第１のアップリンクＡＭＢＲ値と第１のダウンリンクＡＭＢＲ値とを含み、前記第２のＡＭＢＲ値が、前記２次セルのための第２のアップリンクＡＭＢＲ値と第２のダウンリンクＡＭＢＲ値とを含む、
請求項１に記載の方法。
【請求項８】
無線アクセスネットワーク（ＲＡＮ）エンティティによるワイヤレス通信の方法であって、
コアネットワークから、データトラフィックが、認可不要スペクトルを利用する２次セルにオフロードされるための許可のための指示を受信することと、ここにおいて、許可のための前記指示がデータトラフィック特性に基づく、
許可のための前記指示に基づいて、認可スペクトルを利用する１次セルまたは前記認可不要スペクトルを利用する前記２次セルのうちの少なくとも１つを介して通信することを決定することと、前記１次セルおよび前記２次セルが無線アクセスネットワーク（ＲＡＮ）中に含まれる、
を備える、方法。
【請求項９】
前記許可の前記指示が、前記１次セル上で送信されるデータトラフィックのための別のサービス品質（ＱｏＳ）クラス識別子（ＱＣＩ）とは別個であるＱＣＩを含み、ここにおいて、前記ＱＣＩが、前記２次セルにオフロードされることを許可された前記データトラフィックに関連するオフロード指示を含む、請求項８に記載の方法。
【請求項１０】
前記オフロード指示は、前記データトラフィックがオフロードされることを許容されるという指示、または前記２次セルが利用可能であるときはいつでも、前記データトラフィックが前記２次セルにオフロードされるべきであるという指示のうちの少なくとも１つを含み、
ここにおいて、前記オフロード指示が、前記２次セル上のアップリンク通信、前記２次セル上のダウンリンク通信、または前記２次セル上の前記アップリンク通信と前記２次セル上の前記ダウンリンク通信の両方のうちの少なくとも１つに適用される、請求項９に記載の方法。
【請求項１１】
許可の前記指示は、オフロードされることを許容されたベアラが、前記２次セルの上でルーティングされるように課金されることを示し、ここにおいて、前記許可の前記指示が、ポリシーおよび課金ルール機能（ＰＣＲＦ）からのポリシーに基づいて決定されたセル使用ルールを含み、前記ポリシーが前記ＲＡＮのためのセル特性に関連し、ここにおいて、前記１次セルおよび前記２次セルが、前記セル使用ルールに基づいて利用される、請求項８に記載の方法。
【請求項１２】
前記許可の前記指示が、前記１次セルを利用すべきなのか、前記２次セルを利用すべきなのか、前記１次セルと前記２次セルの両方を利用すべきなのかを示すために無線ベアラをマークすること、または前記受信されたポリシーに基づいて決定されたセル使用ルールを識別することのうちの少なくとも１つのために使用され、ここにおいて、前記１次セルおよび前記２次セルが、前記セル使用ルールに基づいて利用される、請求項１１に記載の方法。
【請求項１３】
セル使用ルールが、モビリティ管理エンティティ（ＭＭＥ）と前記ＲＡＮエンティティとの間のＳ１アプリケーションプロトコル（Ｓ１−ＡＰ）セットアップ中に前記ＭＭＥから受信される、請求項１１に記載の方法。
【請求項１４】
前記セル使用ルールが、前記ＭＭＥから送られた初期コンテキストセットアップ要求またはコンテキスト変更メッセージのうちの少なくとも１つを介して前記ＭＭＥから受信される、請求項１１に記載の方法。
【請求項１５】
前記許可の前記指示が、オペレーション、アドミニストレーションおよびメンテナンス（ＯＡＭ）プロトコルを介して受信される、請求項８に記載の方法。
【請求項１６】
前記第１のＡＭＢＲ値が前記１次セルのためのものであり、前記第２のＡＭＢＲ値が前記２次セルのためのものであるという指示とともに、前記１次セルのための第１のアグリゲート最大ビットレート（ＡＭＢＲ）値と前記２次セルのための第２のＡＭＢＲ値とを受信すること
をさらに備え、
ここにおいて、前記１次セルまたは前記２次セルのうちの少なくとも１つを介して通信することを前記決定することが、前記第１のＡＭＢＲ値または前記第２のＡＭＢＲ値のうちの少なくとも１つにさらに基づき、ここにおいて、前記第１のＡＭＢＲ値が、前記１次セルのための第１のアップリンクＡＭＢＲ値と第１のダウンリンクＡＭＢＲ値とを含み、前記第２のＡＭＢＲ値が、前記２次セルのための第２のアップリンクＡＭＢＲ値と第２のダウンリンクＡＭＢＲ値とを含む、
請求項８に記載の方法。
【請求項１７】
コアネットワークエンティティによるワイヤレス通信の方法であって、ここにおいて、前記コアネットワークエンティティが、認可スペクトルを利用する１次セルと、認可不要スペクトルを利用する２次セルとを含む無線アクセスネットワーク（ＲＡＮ）に接続され、前記方法は、
前記ＲＡＮから１つまたは複数のパケットを受信することと、ここにおいて、前記１つまたは複数のパケットのうちの少なくとも１つが、前記２次セルを介した通信に関連する指示を用いてマークされる、
前記１つまたは複数のパケットに基づいて課金動作を決定することと
を備える、方法。
【請求項１８】
前記指示は、前記１つまたは複数のパケットの少なくとも一部分が前記２次セルを介して通信されたことを示す、請求項１７に記載の方法。
【請求項１９】
アップリンクトラフィックとマッチするために使用される差別化サービスコードポイント（ＤＳＣＰ）値を用いて、前記１つまたは複数のパケットをマークすることと、
前記マークされた１つまたは複数のパケットをトラフィック検出機能（ＴＤＦ）に送信することと
をさらに備える、請求項１８に記載の方法。
【請求項２０】
前記ＤＳＣＰ値が、対応するＤＳＣＰを用いてダウンリンクトラフィック中のパケットをマークするために第１のルールを作成し、前記対応するＤＳＣＰを用いてパケットのための課金およびアカウンティング命令を定義するために第２のルールを作成するために使用される、請求項１９に記載の方法。
【請求項２１】
前記指示が、前記１次セル上の通信と前記２次セル上のの通信との比率の指示を含み、
ここにおいて、前記比率の前記指示が、
前記２次セル上のＵＬ通信と前記２次セル上のＤＬ通信とのための比率値、または
前記２次セル上のアップリンク（ＵＬ）通信のためのＵＬ比率値、および前記２次セル上のダウンリンク（ＤＬ）通信のためのＤＬ比率値、
のうちの少なくとも１つを含む、請求項１７に記載の方法。
【請求項２２】
前記比率の前記指示は、あらゆるパケット中でマークされるか、または前記比率の変化があるとき、対応するパケット中でマークされる、請求項２１に記載の方法。
【請求項２３】
前記１つまたは複数のパケットがそれぞれの数値を用いてマークされ、前記数値の各々は、前記１つまたは複数のパケットの各々が、前記１次セル上で通信されたのか、前記２次セル上で通信されたのかを示し、
ここにおいて、前記比率が、ある時間期間にわたる前記数値に基づく、請求項２１に記載の方法。
【請求項２４】
前記１つまたは複数のパケットがダミーパケットであり、前記ダミーパケットの各々が、前記１次セル上の通信と前記２次セル上の通信との前記比率の前記指示を含み、
ここにおいて、前記ダミーパケットが前記コアネットワークエンティティによって廃棄される、請求項２１に記載の方法。
【請求項２５】
認可スペクトルを利用する１次セルと、認可不要スペクトルを利用する２次セルとを含む無線アクセスネットワーク（ＲＡＮ）のためのＲＡＮエンティティによるワイヤレス通信の方法であって、
前記２次セルを介した通信に関連する指示を追加することによって、１つまたは複数のパケットのうちの少なくとも１つをマークすることと、
１つまたは複数のパケットのうちの前記マークされた少なくとも１つをコアネットワークに送信することと
を備える、方法。
【請求項２６】
前記指示は、前記１つまたは複数のパケットの少なくとも一部分が前記２次セルを介して通信されたことを示す、請求項２５に記載の方法。
【請求項２７】
前記指示が、前記１次セル上の通信と前記２次セル上の通信との比率の指示を含み、
ここにおいて、前記比率の前記指示が、
前記２次セル上のＵＬ通信と前記２次セル上のＤＬ通信とのための比率値、または
前記２次セル上のアップリンク（ＵＬ）通信のためのＵＬ比率値、および前記２次セル上のダウンリンク（ＤＬ）通信のためのＤＬ比率値、
のうちの少なくとも１つを含む、請求項２５に記載の方法。
【請求項２８】
前記比率の前記指示は、あらゆるパケット中でマークされるか、または前記比率の変化があるとき、対応するパケット中でマークされる、請求項２７に記載の方法。
【請求項２９】
それぞれの数値を用いて前記１つまたは複数のパケットをマークすることをさらに備え、前記数値の各々は、前記１つまたは複数のパケットの各々が、前記１次セル上で通信されたのか、前記２次セル上で通信されたのかを示し、
ここにおいて、前記比率が、ある時間期間にわたる前記数値に基づく、
請求項２７に記載の方法。
【請求項３０】
前記１つまたは複数のパケットがダミーパケットであり、前記ダミーパケットの各々が、前記１次セル上の通信と前記２次セル上の通信との前記比率の前記指示を含み、
ここにおいて、前記ダミーパケットがコアネットワークエンティティまでフォワーディングされる、請求項２７に記載の方法。
【発明の詳細な説明】
【技術分野】
【０００１】
関連出願の相互参照
[0001]本出願は、その全体が参照により本明細書に明確に組み込まれる、２０１５年７月２８日に出願された「MECHANISMS FOR DIFFERENTIATED TREATMENT OF OFFLOADED TRAFFIC」と題する米国仮出願第６２／１９８，０２６号、および２０１６年６月１５日に出願された「MECHANISMS FOR DIFFERENTIATED TREATMENT OF OFFLOADED TRAFFIC」と題する米国特許出願第１５／１８３，２１８号の利益を主張する。
【０００２】
[0002]本開示は、一般に通信システムに関し、より詳細には、認可スペクトル（licensed spectrum）および／または認可不要スペクトル（unlicensed spectrum）上の通信に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソースを共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、ダウンリンク上ではＯＦＤＭＡを使用し、アップリンク上ではＳＣ−ＦＤＭＡを使用し、多入力多出力（ＭＩＭＯ）アンテナ技術を使用して、スペクトル効率の改善、コストの低下、およびサービスの改善を通して、モバイルブロードバンドアクセスをサポートするように設計されている。しかしながら、モバイルブロードバンドアクセスに対する需要が増加し続けるにつれて、ＬＴＥ技術のさらなる改善が必要である。これらの改善はまた、他の多元接続技術と、これらの技術を採用する電気通信規格とに適用可能であり得る。
【０００５】
[0005]無線アクセスネットワークは異なるタイプのセルを含み得る。あるセルが認可スペクトル中の通信のために利用され得、別のセルが認可不要スペクトル中の通信のために利用され得る。したがって、異なるタイプのセルの使用は、異なるタイプのセルの特性を考慮することによって改善され得る。
【発明の概要】
【０００６】
[0006]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００７】
[0007]無線アクセスネットワークは、認可スペクトル中の通信のために使用される１次セルと、認可不要スペクトル中の通信のために使用される２次セルとを含み得る。データトラフィックのための課金が実行されるとき、コアネットワークは、１次セル上のデータトラフィックを２次セル上のデータトラフィックと区別すべきである。さらに、コアネットワークは、トラフィック特性に基づいて、どのトラフィックがどのタイプのセル（１次であるのか２次であるのか）上でトランスポートされるかを決定することが可能であるべきである。さらに、課金は、課金要件に基づいて２つの異なるセルの間で異なり得るので、１次セルのためのアグリゲート最大ビットレート値と、２次セルのためのアグリゲート最大ビットレート値とを差別化するための機構が必要とされる。
【０００８】
[0008]本開示の一態様では、方法、コンピュータ可読媒体、および装置が提供される。本装置はコアネットワークエンティティであり得る。コアネットワークエンティティは、認可スペクトルを利用する１次セルと、認可不要スペクトルを利用する２次セルとを含む無線アクセスネットワーク（ＲＡＮ）に接続される。コアネットワークエンティティは、データトラフィック特性に基づいて、データトラフィックが２次セルにオフロードされるための許可を決定する。コアネットワークは許可の指示をＲＡＮに送信する。
【０００９】
[0009]一態様では、本装置は、コアネットワークエンティティであり得、ここで、コアネットワークエンティティは、認可スペクトルを利用する１次セルと、認可不要スペクトルを利用する２次セルとを含むＲＡＮに接続される。コアネットワークエンティティは、データトラフィック特性に基づいて、データトラフィックが２次セルにオフロードされるための許可を決定するための手段と、許可の指示をＲＡＮに送信するための手段とを含む。
【００１０】
[0010]一態様では、本装置は、コアネットワークエンティティであり得、ここで、コアネットワークエンティティは、認可スペクトルを利用する１次セルと、認可不要スペクトルを利用する２次セルとを含むＲＡＮに接続される。コアネットワークエンティティは、メモリと、メモリに結合された少なくとも１つのプロセッサとを含む。少なくとも１つのプロセッサは、データトラフィック特性に基づいて、データトラフィックが２次セルにオフロードされるための許可を決定することと、許可の指示をＲＡＮに送信することとを行うように構成される。
【００１１】
[0011]一態様では、コアネットワークエンティティによるワイヤレス通信のためのコンピュータ実行可能コードを記憶するコンピュータ可読媒体が提供され、ここで、コアネットワークエンティティは、認可スペクトルを利用する１次セルと、認可不要スペクトルを利用する２次セルとを含むＲＡＮに接続される。本コンピュータ可読媒体は、データトラフィック特性に基づいて、データトラフィックが２次セルにオフロードされるための許可を決定することと、許可の指示をＲＡＮに送信することとを行うためのコードを含む。
【００１２】
[0012]本開示の別の態様では、方法、コンピュータ可読媒体、および装置が提供される。本装置はコアネットワークエンティティであり得る。コアネットワークエンティティは、認可スペクトルを利用する１次セルと、認可不要スペクトルを利用する２次セルとを含むＲＡＮに接続される。コアネットワークエンティティは、ＲＡＮから１つまたは複数のパケットを受信し、ここで、１つまたは複数のパケットのうちの少なくとも１つが、２次セルを介した通信に関連する指示を用いてマークされる。コアネットワークエンティティは、１つまたは複数のパケットに基づいて課金動作を決定する。
【００１３】
[0013]一態様では、本装置は、コアネットワークエンティティであり得、ここで、コアネットワークエンティティは、認可スペクトルを利用する１次セルと、認可不要スペクトルを利用する２次セルとを含むＲＡＮに接続される。コアネットワークエンティティは、１次セルをサービスするＲＡＮから１つまたは複数のパケットを受信するための手段と、ここで、１つまたは複数のパケットのうちの少なくとも１つが、２次セルを介した通信に関連する指示を用いてマークされる、１つまたは複数のパケットに基づいて課金動作を決定するための手段とを含む。
【００１４】
[0014]一態様では、本装置は、コアネットワークエンティティであり得、ここで、コアネットワークエンティティは、認可スペクトルを利用する１次セルと、認可不要スペクトルを利用する２次セルとを含むＲＡＮに接続される。コアネットワークエンティティは、メモリと、メモリに結合された少なくとも１つのプロセッサとを含む。少なくとも１つのプロセッサは、ＲＡＮから１つまたは複数のパケットを受信することと、ここで、１つまたは複数のパケットのうちの少なくとも１つが、２次セルを介した通信に関連する指示を用いてマークされる、１つまたは複数のパケットに基づいて課金動作を決定することとを行うように構成される。
【００１５】
[0015]一態様では、コアネットワークエンティティによるワイヤレス通信のためのコンピュータ実行可能コードを記憶するコンピュータ可読媒体が提供され、ここで、コアネットワークエンティティは、認可スペクトルを利用する１次セルと、認可不要スペクトルを利用する２次セルとを含むＲＡＮに接続される。本コンピュータ可読媒体は、ＲＡＮから１つまたは複数のパケットを受信することと、ここで、１つまたは複数のパケットのうちの少なくとも１つが、２次セルを介した通信に関連する指示を用いてマークされる、１つまたは複数のパケットに基づいて課金動作を決定することとを行うためのコードを含む。
【００１６】
[0016]本開示の別の態様では、方法、コンピュータプログラム製品、および装置が提供される。本装置はＲＡＮエンティティであり得る。ＲＡＮエンティティは、コアネットワークから、データトラフィックが、認可不要スペクトルを利用する２次セルにオフロードされるための許可のための指示を受信し、ここで、許可のための指示はデータトラフィック特性に基づく。ＲＡＮエンティティは、許可のための指示に基づいて、認可スペクトルを利用する１次セルまたは認可不要スペクトルを利用する２次セルのうちの少なくとも１つを介して通信することを決定し、１次セルおよび２次セルはＲＡＮ中に含まれる。
【００１７】
[0017]一態様では、本装置はＲＡＮエンティティであり得る。ＲＡＮエンティティは、コアネットワークから、データトラフィックが、認可不要スペクトルを利用する２次セルにオフロードされるための許可のための指示を受信するための手段と、ここにおいて、許可のための指示はデータトラフィック特性に基づく、許可のための指示に基づいて、認可スペクトルを利用する１次セルまたは認可不要スペクトルを利用する２次セルのうちの少なくとも１つを介して通信することを決定するための手段と、１次セルおよび２次セルはＲＡＮ中に含まれる、を含む。
【００１８】
[0018]一態様では、本装置はＲＡＮエンティティであり得、ここで、ＲＡＮエンティティは、メモリと、メモリに結合された少なくとも１つのプロセッサとを含む。少なくとも１つのプロセッサは、コアネットワークから、データトラフィックが、認可不要スペクトルを利用する２次セルにオフロードされるための許可のための指示を受信することと、ここで、許可のための指示はデータトラフィック特性に基づく、許可のための指示に基づいて、認可スペクトルを利用する１次セルまたは認可不要スペクトルを利用する２次セルのうちの少なくとも１つを介して通信することを決定することと、１次セルおよび２次セルはＲＡＮ中に含まれる、を行うように構成される。
【００１９】
[0019]一態様では、ＲＡＮエンティティによるワイヤレス通信のためのコンピュータ実行可能コードを記憶するコンピュータ可読媒体が提供される。本コンピュータ可読媒体は、コアネットワークから、データトラフィックが、認可不要スペクトルを利用する２次セルにオフロードされるための許可のための指示を受信することと、ここで、許可のための指示はデータトラフィック特性に基づく、許可のための指示に基づいて、認可スペクトルを利用する１次セルまたは認可不要スペクトルを利用する２次セルのうちの少なくとも１つを介して通信することを決定することと、１次セルおよび２次セルはＲＡＮ中に含まれる、を行うためのコードを含む。
【００２０】
[0020]本開示の別の態様では、方法、コンピュータプログラム製品、および装置が提供される。本装置は、認可スペクトルを利用する１次セルと、認可不要スペクトルを利用する２次セルとを含むＲＡＮのためのＲＡＮエンティティであり得る。ＲＡＮエンティティは、２次セルを介した通信に関連する指示を追加することによって、１つまたは複数のパケットのうちの少なくとも１つをマークする。ＲＡＮエンティティは、１つまたは複数のパケットのうちのマークされた少なくとも１つをコアネットワークに送信する。
【００２１】
[0021]一態様では、本装置は、認可スペクトルを利用する１次セルと、認可不要スペクトルを利用する２次セルとを含むＲＡＮのためのＲＡＮエンティティであり得る。ＲＡＮエンティティは、２次セルを介した通信に関連する指示を追加することによって、１つまたは複数のパケットのうちの少なくとも１つをマークするための手段と、１つまたは複数のパケットのうちのマークされた少なくとも１つをコアネットワークに送信するための手段とを含む。
【００２２】
[0022]一態様では、本装置は、認可スペクトルを利用する１次セルと、認可不要スペクトルを利用する２次セルとを含むＲＡＮのためのＲＡＮエンティティであり得る。ＲＡＮエンティティは、メモリと、メモリに結合された少なくとも１つのおよび少なくとも１つのプロセッサとを含む。少なくとも１つのプロセッサは、２次セルを介した通信に関連する指示を追加することによって、１つまたは複数のパケットのうちの少なくとも１つをマークすることと、１つまたは複数のパケットのうちのマークされた少なくとも１つをコアネットワークに送信することとを行うように構成される。
【００２３】
[0023]一態様では、ＲＡＮのためのＲＡＮエンティティによるワイヤレス通信のためのコンピュータ実行可能コードを記憶するコンピュータ可読媒体が提供され、ここで、ＲＡＮは、認可スペクトルを利用する１次セルと、認可不要スペクトルを利用する２次セルとを含む。本コンピュータ可読媒体は、２次セルを介した通信に関連する指示を追加することによって、１つまたは複数のパケットのうちの少なくとも１つをマークすることと、１つまたは複数のパケットのうちのマークされた少なくとも１つをコアネットワークに送信することとを行うためのコードを含む。
【００２４】
[0024]上記のおよび関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００２５】
【図１】[0025]ワイヤレス通信システムおよびアクセスネットワークの一例を示す図。
【図２Ａ】[0026]ＤＬフレーム構造のＬＴＥ例を示す図。
【図２Ｂ】ＤＬフレーム構造内のＤＬチャネルのＬＴＥ例を示す図。
【図２Ｃ】ＵＬフレーム構造のＬＴＥ例を示す図。
【図２Ｄ】ＵＬフレーム構造内のＵＬチャネルのＬＴＥ例を示す図。
【図３】[0027]アクセスネットワーク中の発展型ノードＢ（ｅＮＢ）およびユーザ機器（ＵＥ）の一例を示す図。
【図４】[0028]１次セルと２次セルとを含むネットワークアーキテクチャを示す例示的な図。
【図５】[0029]本開示の一態様による、アタッチプロシージャを示す例示的な図。
【図６】[0030]本開示の一態様による、デフォルトＥＰＳベアラアクティブ化プロシージャを示す例示的な図。
【図７】[0031]本開示の一態様による、専用ＥＰＳベアラアクティブ化プロシージャを示す例示的な図。
【図８】[0032]本開示の一態様による、ＥＰＳベアラ変更プロシージャを示す例示的な図。
【図９】[0033]本開示の一態様による、サービス要求プロシージャを示す例示的な図。
【図１０】[0034]本開示の第２の手法による、明示的マーキングを示す例示的な図。
【図１１】[0035]本開示の一態様による、ワイヤレス通信の方法のフローチャート。
【図１２】[0036]図１１のフローチャートから展開する、ワイヤレス通信の方法のフローチャート。
【図１３】[0037]本開示の一態様による、ワイヤレス通信の方法のフローチャート。
【図１４】[0038]図１３のフローチャートから展開する、ワイヤレス通信の方法のフローチャート。
【図１５】[0039]例示的な装置における異なるモジュール／手段／構成要素間のデータフローを示す概念データフロー図。
【図１６】[0040]処理システムを採用する装置のためのハードウェア実装形態の一例を示す図。
【図１７】[0041]本開示の一態様による、ワイヤレス通信の方法のフローチャート。
【図１８】[0042]図１７のフローチャートから展開する、ワイヤレス通信の方法のフローチャート。
【図１９】[0043]本開示の一態様による、ワイヤレス通信の方法のフローチャート。
【図２０】[0044]図１９のフローチャートから展開する、ワイヤレス通信の方法のフローチャート。
【図２１】[0045]例示的な装置における異なるモジュール／手段／構成要素間のデータフローを示す概念データフロー図。
【図２２】[0046]処理システムを採用する装置のためのハードウェア実装形態の一例を示す図。
【発明を実施するための形態】
【００２６】
[0047]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素がブロック図の形式で示される。
【００２７】
[0048]次に、様々な装置および方法に関して電気通信システムのいくつかの態様が提示される。これらの装置および方法は、以下の発明を実施するための形態において説明され、（「要素」と総称される）様々なブロック、構成要素、回路、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００２８】
[0049]例として、要素、または要素の任意の部分、または要素の任意の組合せは、１つまたは複数のプロセッサを含む「処理システム」として実装され得る。プロセッサの例としては、マイクロプロセッサ、マイクロコントローラ、グラフィックス処理ユニット（ＧＰＵ）、中央処理ユニット（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２９】
[0050]したがって、１つまたは複数の例示的な実施形態では、説明される機能は、ハードウェア、ソフトウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００３０】
[0051]図１は、ワイヤレス通信システムおよびアクセスネットワーク１００の一例を示す図である。（ワイヤレスワイドエリアネットワーク（ＷＷＡＮ：wireless wide area network）とも呼ばれる）ワイヤレス通信システムは、基地局１０２と、ＵＥ１０４と、発展型パケットコア（ＥＰＣ：Evolved Packet Core）１６０とを含む。基地局１０２は、マクロセル（高電力セルラー基地局）および／またはスモールセル（低電力セルラー基地局）を含み得る。マクロセルはｅＮＢを含む。スモールセルは、フェムトセル、ピコセル、およびマイクロセルを含む。
【００３１】
[0052]（発展型ユニバーサルモバイルテレコミュニケーションズシステム（ＵＭＴＳ）地上波無線アクセスネットワーク（Ｅ−ＵＴＲＡＮ）と総称される）基地局１０２は、バックホールリンク１３２（たとえば、Ｓ１インターフェース）を通してＥＰＣ１６０とインターフェースする。他の機能に加えて、基地局１０２は、以下の機能、すなわち、ユーザデータの転送と、無線チャネル暗号化および解読と、完全性保護と、ヘッダ圧縮と、モビリティ制御機能（たとえば、ハンドオーバ、デュアル接続性）と、セル間干渉協調と、接続セットアップおよび解放と、負荷分散と、非アクセス層（ＮＡＳ：non-access stratum）メッセージのための分配と、ＮＡＳノード選択と、同期と、無線アクセスネットワーク（ＲＡＮ：radio access network）共有と、マルチメディアブロードキャストマルチキャストサービス（ＭＢＭＳ：multimedia broadcast multicast service）と、加入者および機器トレースと、ＲＡＮ情報管理（ＲＩＭ：RAN information management）と、ページングと、測位と、警告メッセージの配信とのうちの１つまたは複数を実行し得る。基地局１０２は、バックホールリンク１３４（たとえば、Ｘ２インターフェース）上で互いと直接または間接的に（たとえば、ＥＰＣ１６０を通して）通信し得る。バックホールリンク１３４はワイヤードまたはワイヤレスであり得る。
【００３２】
[0053]基地局１０２はＵＥ１０４とワイヤレス通信し得る。基地局１０２の各々は、それぞれの地理的カバレージエリア１１０に通信カバレージを与え得る。重複する地理的カバレージエリア１１０があり得る。たとえば、スモールセル１０２’は、１つまたは複数のマクロ基地局１０２のカバレージエリア１１０と重複するカバレージエリア１１０’を有し得る。スモールセルとマクロセルの両方を含むネットワークが、異種ネットワークとして知られ得る。異種ネットワークはまた、限定加入者グループ（ＣＳＧ）として知られる限定グループにサービスを提供し得るホーム発展型ノードＢ（ｅＮＢ）（ＨｅＮＢ）を含み得る。基地局１０２とＵＥ１０４との間の通信リンク１２０は、ＵＥ１０４から基地局１０２への（逆方向リンクとも呼ばれる）アップリンク（ＵＬ）送信、および／または基地局１０２からＵＥ１０４への（順方向リンクとも呼ばれる）ダウンリンク（ＤＬ）送信を含み得る。通信リンク１２０は、空間多重化、ビームフォーミング、および／または送信ダイバーシティを含む、ＭＩＭＯアンテナ技術を使用し得る。通信リンクは、１つまたは複数のキャリアを通したものであり得る。基地局１０２／ＵＥ１０４は、各方向において送信のために使用される最高合計Ｙｘ  ＭＨｚ（ｘ個のコンポーネントキャリア）のキャリアアグリゲーションにおいて割り振られた、キャリアごとの最高Ｙ  ＭＨｚ（たとえば、５、１０、１５、２０ＭＨｚ）帯域幅のスペクトルを使用し得る。キャリアは、互いに隣接することも隣接しないこともある。キャリアの割振りは、ＤＬとＵＬとに対して非対称であり得る（たとえば、ＤＬの場合、ＵＬの場合よりも多いまたは少ないキャリアが割り振られ得る）。コンポーネントキャリアは、１次コンポーネントキャリアと、１つまたは複数の２次コンポーネントキャリアとを含み得る。１次コンポーネントキャリアは１次セル（ＰＣｅｌｌ）と呼ばれることがあり、２次コンポーネントキャリアは２次セル（ＳＣｅｌｌ）と呼ばれることがある。
【００３３】
[0054]ワイヤレス通信システムは、５ＧＨｚ認可不要周波数スペクトル中で通信リンク１５４を介してＷｉ−Ｆｉ（登録商標）局（ＳＴＡ）１５２と通信しているＷｉ−Ｆｉアクセスポイント（ＡＰ）１５０をさらに含み得る。認可不要周波数スペクトル中で通信するとき、ＳＴＡ１５２／ＡＰ１５０は、チャネルが利用可能であるかどうかを決定するために、通信するより前にクリアチャネルアセスメント（ＣＣＡ）を実行し得る。
【００３４】
[0055]スモールセル１０２’は、認可および／または認可不要周波数スペクトル中で動作し得る。認可不要周波数スペクトル中で動作するとき、スモールセル１０２’は、ＬＴＥを採用し、Ｗｉ−Ｆｉ  ＡＰ１５０によって使用されるのと同じ５ＧＨｚ認可不要周波数スペクトルを使用し得る。認可不要周波数スペクトル中でＬＴＥを採用するスモールセル１０２’は、アクセスネットワークへのカバレージをブーストし、および／またはアクセスネットワークの容量を増加させ得る。認可不要スペクトルにおけるＬＴＥは、ＬＴＥ認可不要（ＬＴＥ−Ｕ：LTE（登録商標）-unlicensed）、認可支援アクセス（ＬＡＡ）、またはＭｕＬＴＥｆｉｒｅと呼ばれることがある。
【００３５】
[0056]ＥＰＣ１６０は、モビリティ管理エンティティ（ＭＭＥ：Mobility Management Entity）１６２と、他のＭＭＥ１６４と、サービングゲートウェイ１６６と、マルチメディアブロードキャストマルチキャストサービス（ＭＢＭＳ）ゲートウェイ１６８と、ブロードキャストマルチキャストサービスセンター（ＢＭ−ＳＣ：Broadcast Multicast Service Center）１７０と、パケットデータネットワーク（ＰＤＮ）ゲートウェイ１７２とを含み得る。ＭＭＥ１６２はホーム加入者サーバ（ＨＳＳ）１７４と通信していることがある。ＭＭＥ１６２は、ＵＥ１０４とＥＰＣ１６０との間のシグナリングを処理する制御ノードである。概して、ＭＭＥ１６２はベアラおよび接続管理を行う。すべてのユーザインターネットプロトコル（ＩＰ）パケットはサービングゲートウェイ１６６を通して転送され、サービングゲートウェイ１６６自体はＰＤＮゲートウェイ１７２に接続される。ＰＤＮゲートウェイ１７２はＵＥのＩＰアドレス割振りならびに他の機能を与える。ＰＤＮゲートウェイ１７２とＢＭ−ＳＣ１７０とはＩＰサービス１７６に接続される。ＩＰサービス１７６は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１７０は、ＭＢＭＳユーザサービスプロビジョニングおよび配信のための機能を与え得る。ＢＭ−ＳＣ１７０は、コンテンツプロバイダＭＢＭＳ送信のためのエントリポイントとして働き得、パブリックランドモバイルネットワーク（ＰＬＭＮ：public land mobile network）内のＭＢＭＳベアラサービスを許可し、開始するために使用され得、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを配信するために使用され得、セッション管理（開始／停止）と、ｅＭＢＭＳ関係の課金情報を収集することとを担当し得る。
【００３６】
[0057]基地局は、ノードＢ、発展型ノードＢ（ｅＮＢ）、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。基地局１０２は、ＵＥ１０４にＥＰＣ１６０へのアクセスポイントを与える。ＵＥ１０４の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、スマートデバイス、ウェアラブルデバイス、または任意の他の同様の機能デバイスがある。ＵＥ１０４は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００３７】
[0058]再び図１を参照すると、いくつかの態様では、ＵＥ１０４／ｅＮＢ１０２は、あるデータが認可不要スペクトル通信のための２次セルにオフロードされ得るかどうかを決定すること、および／またはパケットを通信するために使用されたセルに関する情報を与える指示を用いてパケットをマークすることを行うように構成され得る（１９８）。
【００３８】
[0059]図２Ａは、ＬＴＥにおけるＤＬフレーム構造の一例を示す図２００である。図２Ｂは、ＬＴＥにおけるＤＬフレーム構造内のチャネルの一例を示す図２３０である。図２Ｃは、ＬＴＥにおけるＵＬフレーム構造の一例を示す図２５０である。図２Ｄは、ＬＴＥにおけるＵＬフレーム構造内のチャネルの一例を示す図２８０である。他のワイヤレス通信技術は、異なるフレーム構造および／または異なるチャネルを有し得る。ＬＴＥでは、フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットは、１つまたは複数の（物理ＲＢ（ＰＲＢ：physical resource block）とも呼ばれる）時間並列リソースブロック（ＲＢ）を含む。リソースグリッドは複数のリソース要素（ＲＥ）に分割される。ＬＴＥでは、ノーマルサイクリックプレフィックスの場合、ＲＢは、合計８４個のＲＥについて、周波数領域中に１２個の連続するサブキャリアを含んでおり、時間領域中に７つの連続するシンボル（ＤＬの場合、ＯＦＤＭシンボル、ＵＬの場合、ＳＣ−ＦＤＭＡシンボル）を含んでいる。拡張サイクリックプレフィックスの場合、ＲＢは、合計７２個のＲＥについて、周波数領域中に１２個の連続するサブキャリアを含んでおり、時間領域中に６個の連続するシンボルを含んでいる。各ＲＥによって搬送されるビット数は変調方式に依存する。
【００３９】
[0060]図２Ａに示されているように、ＲＥのうちのいくつかが、ＵＥにおけるチャネル推定のためのＤＬ基準（パイロット）信号（ＤＬ−ＲＳ）を搬送する。ＤＬ−ＲＳは、（共通ＲＳと呼ばれることもある）セル固有基準信号（ＣＲＳ：cell-specific reference signal）と、ＵＥ固有基準信号（ＵＥ−ＲＳ：UE-specific reference signal）と、チャネル状態情報基準信号（ＣＳＩ−ＲＳ：channel state information reference signal）とを含み得る。図２Ａは、（それぞれ、Ｒ0、Ｒ1、Ｒ2、およびＲ3として示される）アンテナポート０、１、２、および３のためのＣＲＳと、（Ｒ5として示される）アンテナポート５のためのＵＥ−ＲＳと、（Ｒとして示される）アンテナポート１５のためのＣＳＩ−ＲＳとを示す。図２Ｂは、フレームのＤＬサブフレーム内の様々なチャネルの一例を示す。物理制御フォーマットインジケータチャネル（ＰＣＦＩＣＨ：physical control format indicator channel）は、スロット０のシンボル０内にあり、物理ダウンリンク制御チャネル（ＰＤＣＣＨ：physical downlink control channel）が１つのシンボルを占有するのか、２つのシンボルを占有するのか、３つのシンボルを占有するのかを示す制御フォーマットインジケータ（ＣＦＩ）を搬送する（図２Ｂは、３つのシンボルを占有するＰＤＣＣＨを示す）。ＰＤＣＣＨは、１つまたは複数の制御チャネル要素（ＣＣＥ）内でダウンリンク制御情報（ＤＣＩ）を搬送し、各ＣＣＥは９つのＲＥグループ（ＲＥＧ）を含み、各ＲＥＧは、ＯＦＤＭシンボル中に４つの連続するＲＥを含む。ＵＥは、ＤＣＩをも搬送するＵＥ固有拡張ＰＤＣＣＨ（ｅＰＤＣＣＨ）で構成され得る。ｅＰＤＣＣＨは、２つ、４つ、または８つのＲＢペアを有し得る（図２Ｂは２つのＲＢペアを示し、各サブセットは１つのＲＢペアを含む）。物理ハイブリッド自動再送要求（ＡＲＱ：automatic repeat request）（ＨＡＲＱ：hybrid ARQ）インジケータチャネル（ＰＨＩＣＨ：physical HARQ indicator channel）もスロット０のシンボル０内にあり、物理アップリンク共有チャネル（ＰＵＳＣＨ：physical uplink shared channel）に基づいて、ＨＡＲＱ肯定応答（ＡＣＫ）／否定ＡＣＫ（ＮＡＣＫ）フィードバックを示すＨＡＲＱインジケータ（ＨＩ）を搬送する。１次同期チャネル（ＰＳＣＨ）は、フレームのサブフレーム０および５内のスロット０のシンボル６内にあり、サブフレームタイミングと物理レイヤ識別情報とを決定するためにＵＥによって使用される１次同期信号（ＰＳＳ）を搬送する。２次同期チャネル（ＳＳＣＨ）は、フレームのサブフレーム０および５内のスロット０のシンボル５内にあり、物理レイヤセル識別情報グループ番号を決定するためにＵＥによって使用される２次同期信号（ＳＳＳ）を搬送する。物理レイヤ識別情報と物理レイヤセル識別情報グループ番号とに基づいて、ＵＥは物理セル識別子（ＰＣＩ）を決定することができる。ＰＣＩに基づいて、ＵＥは上述のＤＬ−ＲＳのロケーションを決定することができる。物理ブロードキャストチャネル（ＰＢＣＨ：physical broadcast channel）は、フレームのサブフレーム０のスロット１のシンボル０、１、２、３内にあり、マスタ情報ブロック（ＭＩＢ：master information block）を搬送する。ＭＩＢは、ＤＬシステム帯域幅中のＲＢの数と、ＰＨＩＣＨ構成と、システムフレーム番号（ＳＦＮ）とを与える。物理ダウンリンク共有チャネル（ＰＤＳＣＨ：physical downlink shared channel）は、ユーザデータと、システム情報ブロック（ＳＩＢ：system information block）などのＰＢＣＨを通して送信されないブロードキャストシステム情報と、ページングメッセージとを搬送する。
【００４０】
[0061]図２Ｃに示されているように、ＲＥのうちのいくつかが、ｅＮＢにおけるチャネル推定のための復調基準信号（ＤＭ−ＲＳ）を搬送する。ＵＥは、サブフレームの最後のシンボル中でサウンディング基準信号（ＳＲＳ）をさらに送信し得る。ＳＲＳはコム（comb）構造を有し得、ＵＥは、コムのうちの１つ上でＳＲＳを送信し得る。ＳＲＳは、ｅＮＢによって、ＵＬ上での周波数依存スケジューリングを可能にするために、チャネル品質推定のために使用され得る。図２Ｄは、フレームのＵＬサブフレーム内の様々なチャネルの一例を示す。物理ランダムアクセスチャネル（ＰＲＡＣＨ：physical random access channel）が、ＰＲＡＣＨ構成に基づいてフレーム内の１つまたは複数のサブフレーム内にあり得る。ＰＲＡＣＨは、サブフレーム内に６つの連続するＲＢペアを含み得る。ＰＲＡＣＨは、ＵＥが初期システムアクセスを実行し、ＵＬ同期を達成することを可能にする。物理アップリンク制御チャネル（ＰＵＣＣＨ：physical uplink control channel）が、ＵＬシステム帯域幅のエッジ上に位置し得る。ＰＵＣＣＨは、スケジューリング要求、チャネル品質インジケータ（ＣＱＩ）、プリコーディング行列インジケータ（ＰＭＩ）、ランクインジケータ（ＲＩ）、およびＨＡＲＱ  ＡＣＫ／ＮＡＣＫフィードバックなど、アップリンク制御情報（ＵＣＩ）を搬送する。ＰＵＳＣＨは、データを搬送し、バッファステータス報告（ＢＳＲ）、パワーヘッドルーム報告（ＰＨＲ）、および／またはＵＣＩを搬送するためにさらに使用され得る。
【００４１】
[0062]図３は、アクセスネットワーク中でＵＥ３５０と通信しているｅＮＢ３１０のブロック図である。ＤＬでは、ＥＰＣ１６０からのＩＰパケットがコントローラ／プロセッサ３７５に与えられ得る。コントローラ／プロセッサ３７５はレイヤ３およびレイヤ２機能を実装する。レイヤ３は無線リソース制御（ＲＲＣ）レイヤを含み、レイヤ２は、パケットデータコンバージェンスプロトコル（ＰＤＣＰ）レイヤと、無線リンク制御（ＲＬＣ）レイヤと、媒体アクセス制御（ＭＡＣ）レイヤとを含む。コントローラ／プロセッサ３７５は、システム情報（たとえば、ＭＩＢ、ＳＩＢ）のブロードキャスティングと、ＲＲＣ接続制御（たとえば、ＲＲＣ接続ページング、ＲＲＣ接続確立、ＲＲＣ接続変更、およびＲＲＣ接続解放）と、無線アクセス技術（ＲＡＴ）間モビリティと、ＵＥ測定報告のための測定構成とに関連するＲＲＣレイヤ機能、ならびにヘッダ圧縮／復元と、セキュリティ（暗号化、解読、完全性保護、完全性検証）と、ハンドオーバサポート機能とに関連するＰＤＣＰレイヤ機能、ならびに上位レイヤパケットデータユニット（ＰＤＵ）の転送と、ＡＲＱを介した誤り訂正と、ＲＬＣサービスデータユニット（ＳＤＵ）の連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、トランスポートブロック（ＴＢ）上へのＭＡＣ  ＳＤＵの多重化と、ＴＢからのＭＡＣ  ＳＤＵのデマリプレクシングと、スケジューリング情報報告と、ＨＡＲＱを介した誤り訂正と、優先度処理と、論理チャネル優先度付けとに関連するＭＡＣレイヤ機能を与える。
【００４２】
[0063]送信（ＴＸ）プロセッサ３１６および受信（ＲＸ）プロセッサ３７０は、様々な信号処理機能に関連するレイヤ１機能を実装する。物理（ＰＨＹ）レイヤを含むレイヤ１は、トランスポートチャネル上の誤り検出と、トランスポートチャネルの前方誤り訂正（ＦＥＣ）コーディング／復号と、インターリービングと、レートマッチングと、物理チャネル上へのマッピングと、物理チャネルの変調／復調と、ＭＩＭＯアンテナ処理とを含み得る。ＴＸプロセッサ３１６は、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングを扱う。コーディングされ、変調されたシンボルは、次いで並列ストリームに分割され得る。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成され得る。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられ得る。各送信機３１８ＴＸは、送信のためにそれぞれの空間ストリームでＲＦキャリアを変調し得る。
【００４３】
[0064]ＵＥ３５０において、各受信機３５４ＲＸは、それのそれぞれのアンテナ３５２を通して信号を受信する。各受信機３５４ＲＸは、ＲＦキャリア上に変調された情報を復元し、その情報を受信（ＲＸ）プロセッサ３５６に与える。ＴＸプロセッサ３６８およびＲＸプロセッサ３５６は、様々な信号処理機能に関連するレイヤ１機能を実装する。ＲＸプロセッサ３５６は、ＵＥ３５０に宛てられた任意の空間ストリームを復元するために、情報に対して空間処理を実行し得る。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ３１０によって送信される、可能性が最も高い信号コンスタレーションポイントを決定することによって復元され、復調される。これらの軟判定は、チャネル推定器３５８によって算出されるチャネル推定値に基づき得る。軟判定は、次いで、物理チャネル上でｅＮＢ３１０によって最初に送信されたデータと制御信号とを復元するために復号され、デインターリーブされる。データおよび制御信号は、次いで、レイヤ３およびレイヤ２機能を実装するコントローラ／プロセッサ３５９に与えられる。
【００４４】
[0065]コントローラ／プロセッサ３５９は、プログラムコードとデータとを記憶するメモリ３６０に関連付けられ得る。メモリ３６０はコンピュータ可読媒体と呼ばれることがある。ＵＬでは、コントローラ／プロセッサ３５９は、ＥＰＣ１６０からのＩＰパケットを復元するために、トランスポートチャネルと論理チャネルとの間の多重分離と、パケットリアセンブリと、解読と、ヘッダ復元と、制御信号処理とを行う。コントローラ／プロセッサ３５９はまた、ＨＡＲＱ動作をサポートするためにＡＣＫおよび／またはＮＡＣＫプロトコルを使用する誤り検出を担当する。
【００４５】
[0066]ｅＮＢ３１０によるＤＬ送信に関して説明された機能と同様に、コントローラ／プロセッサ３５９は、システム情報（たとえば、ＭＩＢ、ＳＩＢ）獲得と、ＲＲＣ接続と、測定報告とに関連するＲＲＣレイヤ機能、ならびにヘッダ圧縮／復元と、セキュリティ（暗号化、解読、完全性保護、完全性検証）とに関連するＰＤＣＰレイヤ機能、ならびに上位レイヤＰＤＵの転送と、ＡＲＱを介した誤り訂正と、ＲＬＣ  ＳＤＵの連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、ＴＢ上へのＭＡＣ  ＳＤＵの多重化と、ＴＢからのＭＡＣ  ＳＤＵのデマリプレクシングと、スケジューリング情報報告と、ＨＡＲＱを介した誤り訂正と、優先度処理と、論理チャネル優先度付けとに関連するＭＡＣレイヤ機能を与える。
【００４６】
[0067]ｅＮＢ３１０によって送信される基準信号またはフィードバックからの、チャネル推定器３５８によって導出されるチャネル推定値は、適切なコーディングおよび変調方式を選択することと、空間処理を可能にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられ得る。各送信機３５４ＴＸは、送信のためにそれぞれの空間ストリームでＲＦキャリアを変調し得る。
【００４７】
[0068]ＵＬ送信は、ＵＥ３５０における受信機機能に関して説明された様式と同様の様式でｅＮＢ３１０において処理される。各受信機３１８ＲＸは、それのそれぞれのアンテナ３２０を通して信号を受信する。各受信機３１８ＲＸは、ＲＦキャリア上に変調された情報を復元し、その情報をＲＸプロセッサ３７０に与える。
【００４８】
[0069]コントローラ／プロセッサ３７５は、プログラムコードとデータとを記憶するメモリ３７６に関連付けられ得る。メモリ３７６はコンピュータ可読媒体と呼ばれることがある。ＵＬでは、コントローラ／プロセッサ３７５は、ＵＥ３５０からのＩＰパケットを復元するために、トランスポートチャネルと論理チャネルとの間の多重分離と、パケットリアセンブリと、解読と、ヘッダ復元と、制御信号処理とを行う。コントローラ／プロセッサ３７５からのＩＰパケットは、ＥＰＣ１６０に与えられ得る。コントローラ／プロセッサ３７５はまた、ＨＡＲＱ動作をサポートするためにＡＣＫおよび／またはＮＡＣＫプロトコルを使用する誤り検出を担当する。
【００４９】
[0070]ＵＥは、（たとえば、認可スペクトル中で）認可アクセスを与える１次セルと、（たとえば、認可不要スペクトル中で）認可不要アクセスを与える２次セルの両方に接続され得る。特に、ＵＥは、認可周波数帯域、たとえば、ＬＴＥ周波数帯域上の通信を与える１次セルと、認可不要周波数帯域、たとえば、ＷｉＦｉ（登録商標）周波数帯域上の通信を与える２次セルとに接続され得る。たとえば、ＵＥは、１次セルと２次セルとを含むＲＡＮに接続され得る。一例では、ＲＡＮは、１次セル中の認可アクセスのためのＬＴＥ通信と、２次セル中の認可不要アクセスのための認可不要ＬＴＥ（たとえば、ＬＴＥ−Ｕ）通信とをサポートするｅＮＢを含み得る。別の例では、ＲＡＮは、１次セル中の認可アクセスのためのセルラー通信のためのｅＮＢと、２次セル中の認可不要アクセスのためのワイヤレスローカルエリアネットワーク（ＷＬＡＮ）ルータとを含み得る。
【００５０】
[0071]図４は、１次セルと２次セルとを含むネットワークアーキテクチャを示す例示的な図４００である。ＵＥ４０２は、認可アクセスのための１次セル４０６と、認可不要アクセスのための２次セル４０８とを含むＲＡＮ４０４に接続される。特に、ＵＥ４０２は１次セル４０６と２次セル４０８の両方に接続され得る。１次セル４０６は、ＭＭＥ４１２と、他のＭＭＥ４１４と、サービングゲートウェイ（Ｓ−ＧＷ）４１６と、ＰＤＮゲートウェイ（Ｐ−ＧＷ）４１８と、ＨＳＳ４２０とを含むＥＰＣ（たとえば、コアネットワーク）４１０と通信する。特に、１次セル４０６は、Ｓ１−ＭＭＥインターフェースを介してＭＭＥ４１２と通信し、Ｓ１−Ｕインターフェースを介してサービングゲートウェイ４１６と通信する。Ｓ１−ＭＭＥインターフェースは制御プレーンとのインターフェースを与え、Ｓ１−Ｕインターフェースはユーザプレーンとのインターフェースを与えることに留意されたい。ＭＭＥ４１２はＳ１１インターフェースを介してサービングゲートウェイ４１６と通信し、サービングゲートウェイ４１６はＳ５インターフェースを介してＰＤＮゲートウェイ４１８と通信する。ＭＭＥ４１２はＳ６ａインターフェースを介してＨＳＳ４２０と通信する。ＥＰＣ４１０はＩＰサービス４２２と通信する。特に、ＰＤＮゲートウェイ４１８はＳＧｉインターフェースを介してＩＰサービス４２２と通信する。
【００５１】
[0072]図４に示されているアーキテクチャなど、ネットワークアーキテクチャでは、ベアラにおけるサービスデータフロー（ＳＤＦ：service data flow）のパケットは、１次セル上でおよび／または２次セル上で通信され得るか、あるいはＳＤＦのいくつかのパケットは１次セル上で搬送され得、ＳＤＦの他のパケットは２次セル上で搬送され得る。各ＳＤＦは、異なるタイプのサービスを搬送し得る。たとえば、あるＳＤＦはストリーミングビデオに関連するデータを搬送し得、別のＳＤＦはボイスオーバーＩＰ発呼に関連するデータを搬送し得る。ＵＥ４０２はＲＡＮ４０４を介して複数のＳＤＦを受信し得る。ｅＮＢ（たとえば、１次セルをサービスするｅＮＢ）は、どのパケットが１次セル上で通信され、どのパケットが２次セル上で通信されるかを決定し得る。パケットが１次セルを介して送られるのか２次セルを介して送られるのかに関する決定は、１次セルおよび２次セルの、負荷状態、無線状態、ローカルポリシー、訪問先ネットワークポリシーなど、いくつかのファクタに依存し得る。１次セルをサービスするｅＮＢは、どのパケットが１次セル上で搬送されるべきであり、どのパケットが２次セル上で搬送されるべきであるかを決定し得る。ｅＮＢ（たとえば、１次セルをサービスするｅＮＢ）はまた、（たとえば、アルゴリズムに基づいて）に基づいて、２次セルを通していくつかのデータパケットをどのように通信すべきかを決定し得る。
【００５２】
[0073]コアネットワークは、概して、オペレータ（たとえば、ＵＥ）が、データパケットが１次セル上で通信されるときと、データパケットが２次セル上で通信されるときとを差別化することができるように、トラフィックポリシングおよびトラフィック課金を実行する。特に、トラフィックポリシングは、どのデータトラフィック（たとえば、ＳＤＦのパケット）が通信されることを許容されるかに関する許可、ならびにデータトラフィックが通信されることを許容される条件を与えることに関係する。トラフィック課金は、コアネットワークが、送信されるデータトラフィックの量と、データトラフィックがどのようにルーティングされるかとに基づいてオペレータに課金することができるように、課金情報を生成することを含む。オペレータが、認可不要アクセスをもつ２次セルを利用するとき、オペレータは、（たとえば、オペレータポリシーまたは規制要件の差異により）オペレータが、認可アクセスをもつ１次セルを利用する場合とは異なって課金され得ることに留意されたい。
【００５３】
[0074]コアネットワークが課金機能を実行するとき、コアネットワークは、２次セル上でデータトラフィックをトランスポートするための２次セルを使用するエアインターフェース（データプレーン）オフロードと、２次セルにおけるローカルネットワークにおけるコアネットワークオフロードと、２次セルを使用してＵＥサービスを与えるためにＬＴＥ上で通信される制御プレーンシグナリングとを含む様々なファクタを考慮し得る。さらに、ボリューム課金および時間課金など、１つまたは複数の課金モデルが利用され得る。特に、ボリューム課金に従って、オペレータは、アップリンク通信およびダウンリンク通信の各々について、１次セル上で送信されるデータの量（たとえば、パケットの数）と、２次セル上で送信されるデータの量とに基づいて（たとえば、コアネットワークによって）課金され得る。時間課金に従って、オペレータは、１次セル上の接続性の持続時間と、２次セル上の接続性の持続時間とに基づいて（たとえば、コアネットワークによって）課金される。一態様では、オペレータは、認可アクセスのための１次セル上の接続性の持続時間の間課金され得、認可不要アクセスのための２次セル上の接続性の持続時間の間課金されないことがある。したがって、たとえば、オペレータは、２次セル上の接続性が存在し、１次セル上の接続性がないとき、接続性の持続時間の間課金されないことがあるが、１次セル上の接続性があるとき、接続性の持続時間の間課金され得る。したがって、コアネットワークが課金機能を実行するとき、コアネットワークは、１次セル上のデータトラフィックを２次セル上のデータトラフィックと区別する必要がある。限定ではなく説明の目的で、本明細書で説明される１次セルは認可スペクトル中で動作し、本明細書で説明される２次セルは認可不要スペクトル中で動作する。
【００５４】
[0075]コアネットワークは、コアネットワークが、どのトラフィックがどのタイプのセル（１次セルであるのか２次セルであるのか）上でトランスポートされるかをどのように決定するかを管理するために、ポリシング機能を実行し得る。ポリシングは、たとえば、トラフィック特性に基づき得る。ポリシング機能に関して以下のファクタが考慮される必要があり得る。１つのファクタによれば、セル特性固有ルールを考慮することによって、コアネットワークは、各セルのセル特性に基づいて、ｅＮＢが１次セルと２次セルとを介したアクセスをＵＥにどのように与えるかを管理することが可能であるべきである。たとえば、コアネットワークは、各セル上で通信されるべきデータバイトの割合（たとえば、最大キャップまたは最小キャップ）を決定し得、ならびに／あるいは各セルについて、ダウンリンク中で通信されるべきおよび／またはアップリンク中で通信されるべきデータバイトの割合（たとえば、最大キャップまたは最小キャップ）を決定し得る。別のファクタによれば、コアネットワークは、あるセル特性（たとえば、認可不要スペクトル）をもつセルが利用可能であるか否かに応じて、特定のデバイスのために異なるポリシーを施行することが可能であるべきである。たとえば、認可スペクトル上のデータのための最大キャップに達した場合、Ｐ−ＧＷは、ＵＥが、認可不要アクセス（たとえば、ＬＴＥ−Ｕ、またはＷＬＡＮ上のアグリゲーション）を与える２次セルに接続されるかどうかに応じて、ベアラを非アクティブにすべきなのか、後続のデータトラフィック（たとえば、ＵＬ／ＤＬトラフィック）を阻止すべきなのかを決定し得る。２次セルが利用可能であり、認可スペクトル上の最大キャップに達した場合、Ｐ−ＧＷは、すべての後続のデータトラフィックが認可不要スペクトル中の２次セル上でスケジュールされるべきであることを（たとえば、ポリシーに基づいて）命令し得る。したがって、Ｐ−ＧＷは、それに応じてポリシールールを施行するために、認可不要スペクトル上の通信が利用可能であるか否かに関する情報を受信する必要があり得る。別のファクタによれば、コアネットワーク（たとえば、ポリシーおよび課金ルール機能（ＰＣＲＦ））は、あるセル特性（たとえば、認可不要スペクトル）をもつセルがデバイスのために利用可能であるかどうかに基づいて、ポリシーを与えるべきである。
【００５５】
[0076]Ｓ１−Ｕインターフェースは、１次セル上で通信されるべきデータと、２次セル上で通信されるべきデータとについて別個の明示的トンネルを含んでいないことがある。したがって、Ｓ１−Ｕによって与えられるトンネルは、データが１次セル上で通信されるのか２次セル上で通信されるのかを区別しないことがある。さらに、課金データレコード（ＣＤＲ：charging data record）が、（たとえば、ＲＡＮ中にない）コアネットワーク要素（Ｓ−ＧＷ／Ｐ−ＧＷ）において作成され得る。ｅＮＢは、コアネットワークがＣＤＲを作成するのを助けるために、何らかの情報を生成し得る。ＣＤＲは、通信されるデータトラフィックの量についてＵＥのユーザに課金するために使用され得る。ＣＤＲがＲＡＮ中で作成されないことがあるので、ＲＡＮは、通信が、１次セルを使用することに関係するのか、２次セルを使用することに関係するのかに関する情報を与えることが可能でないことがある。コアネットワークは、現在、どのデータが１次セルまたは２次セル上で通信されるかを知らないので、コアネットワークは、正しく課金を実行することが可能でないことがある。ＣＤＲコンテナは、ＵＥのユーザロケーション情報（ＵＬＩ：user location information）が変化したときに開かれるかまたは閉じられ得る。たとえば、ＵＥのロケーションが変化し、したがって、ＵＬＩが変化したとき、ＵＥは、ＵＥが認可スペクトル上で動作しているのか認可不要スペクトル上で動作しているのかに基づいて、ＣＤＲコンテナを開くかまたは閉じる。ＵＥが認可不要スペクトル上で動作している場合、ＵＥは、課金を招くことを回避するためにＣＤＲコンテナを閉じ、ＵＥがＬＴＥ中にあるとき、ＵＥは、課金を開始するためにＣＤＲコンテナを開く。
【００５６】
[0077]ＵＥのアグリゲート最大ビットレート（ＡＭＢＲ：Aggregate Maximum Bit Rate）が、１次セルおよび／または２次セル上の通信について考慮され得る。ＡＭＢＲは、ＲＡＮに（たとえば、ｅＮＢに）コアネットワークによって与えられるＵＥごとの値であり、したがって、ｅＮＢは、すべての非保証ビットレート（非ＧＢＲ）ベアラのための総最大ビットレートを施行するためにＡＭＢＲを使用し得る。たとえば、ＭＭＥは、Ｅ−ＵＴＲＡＮ無線アクセスベアラ（Ｅ−ＲＡＢ）メッセージ中で各無線アクセス技術（ＲＡＴ）のためのＵＥ−ＡＭＢＲを送信し得る。コアネットワークは、２つの別個のＡＭＢＲ値、すなわち、１次セル上の通信のための１つのＡＭＢＲ値と２次セル上の通信のための１つのＡＭＢＲ値とを与える代わりに、１次セルまたは２次セルのいずれかのための１つのＡＭＢＲ値を与え得る。（たとえば、課金要件に基づいて）異なるタイプのセルについて課金が別様に実行され得るので、１次セルのためのＡＭＢＲ値と２次セルのためのＡＭＢＲ値とを差別化するための機構が必要とされる。たとえば、あるセルが別のセルとは異なって動作する場合、コアネットワークは、２つの異なるタイプのセルに異なるＡＭＢＲ値を与えるべきである。さらに、ＵＥは、あるＲＡＴ（たとえば、２次セル）ではＤＬ通信を利用し得、別のＲＡＴ（たとえば、１次セル）ではＵＬ通信を利用し得る。そのような場合、ＵＬ通信とＤＬ通信とについて別個のＡＭＢＲ値を与えるための機構が必要とされる。たとえば、ＤＬ通信は、主要なデータを受信するために２次セル中で使用され得、ＵＬ通信は、制御信号をコアネットワークに送信するために１次セル中で使用され得る。ＡＭＢＲは、初期コンテキストセットアップ要求メッセージ中の必須のフィールド中に含まれ得、Ｅ−ＲＡＢセットアップ要求、Ｅ−ＲＡＢ変更要求、またはＥ−ＲＡＢリリースコマンド中に随意にあり得ることに留意されたい。
【００５７】
[0078]課金に関連するいくつかの問題は、（たとえば、１次セル上で通信されるパケットの数と、２次セル上で通信されるパケットの数とを計数することによって）１次セル上で送信されるデータボリュームと２次セル上で送信されるデータボリュームとの別個のアカウンティングおよび報告をｅＮＢに実行させることによって対処され得る。報告は、制御プレーンまたはユーザプレーンを使用して実行され得る。制御プレーンを使用する１つの手法では、ｅＮＢは、ＭＭＥを介してサービングゲートウェイにパケットの数のアカウンティング情報を与え、次いで、サービングゲートウェイは、アカウンティング情報をＰＤＮゲートウェイにフォワーディングするサービングゲートウェイＣＤＲおよびＰＤＮゲートウェイＣＤＲは、１次セルおよび２次セル上のデータボリュームについての明示的アカウント情報を含むように拡張され得る。制御プレーンを使用する別の手法では、ｅＮＢは、別個の、制御プレーンのための汎用パケット無線サービス（ＧＰＲＳ：general packet radio service）トンネリングプロトコル（ＧＴＰ−Ｃ）メッセージを介してＳ１−Ｕインターフェース上で直接サービングゲートウェイにアカウンティング情報を与え、次いで、サービングゲートウェイは、アカウンティング情報をＰＤＮゲートウェイにフォワーディングし、サービングゲートウェイＣＤＲおよびＰＤＮゲートウェイＣＤＲは、１次セルおよび２次セル上のデータボリュームについての明示的アカウント情報を含むように拡張される。制御プレーンを使用するまた別の手法では、ｅＮＢは、ｅＮＢ  ＣＤＲを使用して課金ゲートウェイ機能（ＣＧＦ：Charging Gateway Function）に直接、またはｅＮＢ  ＣＤＲがｅＮＢ中に含まれない場合は課金データ機能（ＣＤＦ：Charging Data Function）に直接、１次セルおよび／または２次セル中のデータボリュームを報告する。ＣＧＦまたは何らかの他の課金エンティティは、（たとえば、課金の一貫性を与えるために）サービングゲートウェイＣＤＲと、ＰＤＮゲートウェイＣＤＲと、ｅＮＢ  ＣＤＲとを相関させ得る。さらに、ユーザプレーンを使用する１つの手法では、ｅＮＢは、（たとえば、ベアラのための新しいヘッダ拡張の一部としてのユーザプレーンのためのＧＰＲＳトンネリングプロトコル（ＧＴＰ−Ｕ：GPRS tunneling protocol for the user plane）トンネル中で、または別個のＧＴＰ−Ｃメッセージ中で）Ｓ１−Ｕインターフェース上で直接サービングゲートウェイにアカウンティング情報を与え得る。
【００５８】
[0079]データフローごとの（たとえば、ＳＤＦごとの）課金がＰＤＮゲートウェイにおいて実行される場合、ｅＮＢは、データフローごとにデータボリュームのアカウンティングを実行すべきである。しかしながら、ｅＮＢはデータフローに気づいていないことがある。したがって、ｅＮＢは、ベアラがセットアップされるときの直接構成を介して、またはＰＤＮゲートウェイにおいて実行されるユーザプレーンパケットマーキングを介してのいずれかでデータフローに気づかされ得る。ＰＤＮゲートウェイは、トラフィックフローのある識別子を各パケットヘッダ中に含めることによってパケットをマークし得る。
【００５９】
[0080]特に、コアネットワーク（たとえば、ホームパブリックランドモバイルネットワーク（ＨＰＬＭＮ：Home Public Land Mobile Network））が、あるデバイスのデータトラフィックが（たとえば、１次セルから）２次セルにオフロードされ得るかどうかの制御を保持することが望ましいことがある。また、コアネットワークが、データトラフィックのタイプ、および／またはどの量のデータトラフィックが２次セルにオフロードされ得るかの制御を保持することが望ましいことがある。したがって、本開示によれば、許可およびアカウンティングについての決定のためにｅＮＢに依拠する代わりに、コアネットワークは、許可およびアカウンティングに関する決定を行うように構成され得る。コアネットワークは、あるデバイスのデータトラフィックが（たとえば、１次セルから）２次セルにオフロードされ得るかどうかを決定するように構成され得る。そのような許可およびアカウンティング決定を実装するために、コアネットワークは、特定のデータトラフィックが２次セルにオフロードされ得るかどうか（またはデータトラフィックのアグリゲーションが許容されるかどうか）をＲＡＮに示すことが可能であるべきである。本開示の第１の手法によれば、コアネットワークは、１次セルと２次セルとについてデータフローおよび／またはデータトラフィックのための許可の決定を行うように構成され、許可のそのような決定はＰＤＮゲートウェイに受け渡される。コアネットワークは、ポリシー制御および課金（ＰＣＣ：policy control and charging）機能を使用して許可の決定を行い得る。ＭＭＥは、ＵＥサブスクリプションプロファイルに基づいて、許可の決定を変更し得、および／または（たとえば、許可および／またはアカウンティングのための）追加のポリシーを追加し得る。許可の決定は、（たとえば、ＯＡＭ情報が、輻輳、負荷除去など、ネットワーク中のリアルタイム状態を与え得るので）ＯＡＭ情報と組み合わせられ得る。本開示の第１の手法は、サービス品質（ＱｏＳ）クラスインジケータ、ＰＣＣ発信情報、Ｐ−ＧＷ発信情報、ＭＭＥ発信情報、またはＯＡＭ発信情報のうちの少なくとも１つを考慮し得る。
【００６０】
[0081]第１の手法の第１の態様によれば、新しいＱｏＳクラス識別子（ＱＣＩ：QoS class identifier）が、認可不要スペクトル上で通信されるデータフロー（認可不要アクセスデータフロー）について導入され得る。ＳＤＦがコアネットワーク中で作成されるとき、コアネットワークは、どのサービス品質がＳＤＦについて与えられるべきであるかを示すために、ＱＣＩをＳＤＦに割り当てる。従来使用されるＱＣＩに加えて、第１の手法の第１の態様は、ＳＤＦが２次セルにオフロードされることを許容／要求される場合、コアネットワークがＳＤＦに割り当てることができる新しいＱＣＩ値を定義する。したがって、コアネットワークは、２次セルにオフロードすることについてコアネットワークが許可するＳＤＦおよび／またはデータトラフィックに新しいＱＣＩ値を割り当てる。新しいＱＣＩ値に基づいて、ＲＡＮ（たとえばｅＮＢ）は、どのデータトラフィックが２次セルにオフロードされ得るかを決定する。
【００６１】
[0082]新しいＱＣＩを利用するための第１の手法の第１の態様を実装するために、いくつかのオプションが利用可能であり得る。第１の手法の第１の態様の第１のオプションによれば、コアネットワークは、コアネットワークが、データフローが２次セルにオフロードされることを許可したことを示すために、新しいＱＣＩとして、認可不要アクセスＱＣＩと呼ばれる別個のＱＣＩをＳＤＦに割り当てる（たとえば、ここで、別個のＱＣＩは従来のＱＣＩとは異なる）。たとえば、ＲＡＮが、ＳＤＦに割り当てられた認可不要アクセスＱＣＩを検出した場合、ＲＡＮは、ＳＤＦを２次セルにオフロードすることを決定し得る。一方、ＲＡＮが、（従来の）ＱＣＩがＳＤＦに割り当てられたことを検出した場合、ＲＡＮは、ＳＤＦを２次セルにオフロードしないことを決定し得る。再び図４を参照すると、たとえば、ＥＰＣ４１０は、従来のＱＣＩおよび／または認可不要アクセスＱＣＩをＲＡＮ４０４に（たとえば、１次セル４０６のためのｅＮＢに）送信し得、ＲＡＮ４０４は、その後、ＳＤＦについて、認可不要ＱＣＩが受信されたのか、従来のＱＣＩが受信されたのかに基づいて、ＳＤＦを２次セル４０８にオフロードすべきかどうかを決定し得る。認可不要アクセスＱＣＩは、ＳＤＦについて、ＳＤＦへのオフローディングが、ＵＬ通信に適用されるのか、ＤＬ通信に適用されるのか、ＵＬ通信とＤＬ通信の両方に適用されるのかを指定し得る。一態様では、ｅＮＢ（たとえば、１次セル４０６のためのｅＮＢ）は、認可不要アクセスＱＣＩに基づいて、ＳＤＦが２次セル（たとえば、２次セル４０８）にオフロードされることを許可されたと決定し、ＳＤＦを２次セルにオフロードすべきかどうかを決定する。別の態様によれば、認可不要アクセスＱＣＩは、２次セルが利用可能であるときはいつでも、データフローが２次セル（たとえば、２次セル４０８）にオフロードされることをコアネットワーク（たとえば、ＥＰＣ４１０）が要求することを示す。そのような態様では、ｅＮＢは、２次セルが利用可能であり、無線状態がそのようなオフローディングを許容するたびに、認可不要アクセスＱＣＩを用いてＳＤＦをオフロードする。
【００６２】
[0083]第１の手法の第１の態様の第２のオプションによれば、別個の認可不要アクセスＱＣＩを実装する代わりに、（従来の）ＱＣＩが、２次セルへのオフロード能力を示す新しいＱＣＩ値を含むように増補される。したがって、コアネットワークが、特定のＳＤＦを２次セルにオフロードすることについて許可するとき、コアネットワークは、新しいＱＣＩ値を特定のＳＤＦに割り当て、２次セルへのオフロード能力を示すために新しいＱＣＩ値をＱＣＩ中に含め得る。再び図４を参照すると、たとえば、ＥＰＣ４１０は、２次セル４０８へのオフロード能力を示すために新しいＱＣＩ値をＱＣＩ中に含め、新しいＱＣＩ値を含むＱＣＩをＲＡＮ４０４に（たとえば、１次セル４０６のためのｅＮＢに）送信し得る。ＱＣＩ中の新しいＱＣＩ値は、ＳＤＦについて、ＳＤＦへのオフローディングが、ＵＬ通信に適用されるのか、ＤＬ通信に適用されるのか、ＵＬ通信とＤＬ通信の両方に適用されるのかを指定し得る。一態様では、新しいＱＣＩ値は、ｅＮＢ（たとえば、１次セル４０６のためのｅＮＢ）がＳＤＦを２次セル（たとえば、２次セル４０８）にオフロードし得ることを示し得る。別の態様では、新しいＱＣＩ値は、２次セルが利用可能であるときはいつでも、ｅＮＢ（たとえば、１次セル４０６のためのｅＮＢ）がＳＤＦを２次セル（たとえば、２次セル４０８）にオフロードすべきであることを示し得る。一態様では、コアネットワークは、コアネットワークが、データフローが２次セル上でオフロード／アグリゲートされることを許容するか否かに基づいて、新しいＱＣＩを異なるデータフローに割り当て得る。
【００６３】
[0084]第１の手法の第２の態様によれば、コアネットワークは、ＰＣＣおよび／またはＰＤＮゲートウェイを介した２次セルへのオフローディング（オフロード能力）のための許可の明示的指示を与える。ＰＣＣ機能は、ＰＣＲＦとポリシーおよび課金施行機能（ＰＣＥＦ：policy and charging enforcement function）とを含み得る。２次セルがサービングネットワーク中でサポートされる場合、ＰＣＲＦ（ローミングする場合は訪問先ＰＣＲＦ）は、各フローについて、（認可不要アクセスのための）２次セルが使用され得るかまたは使用されるべきである（たとえば、使用されることを要求される）かどうかを示すために、Ｇｘインターフェースを介してＰＣＥＦにインジケータを与える。たとえば、ＰＣＲＦは、データトラフィックがオフローディングを許容されるか、またはトラフィックがオフロードされることを要求されることを示すために、インジケータを与える。ＰＣＲＦは、認可不要アクセスを示す特定の差別化サービスコードポイント（ＤＳＣＰ：differentiated service code point）のためのアプリケーション検出および制御（ＡＤＣ：Application Detection and Control）ルールを作成し、送る。インジケータ情報を受信した後、ＰＤＮゲートウェイにおけるＰＣＥＦは、データトラフィックが認可不要アクセスのための２次セルにオフロードされ得るかまたはオフロードされるべきであるという指示を用いて、（１つまたは複数の）ベアラをマークする。ＰＣＥＦは、新しい指示を用いて各ベアラをマークし得る。マーキングは、新しい発展型パケットシステム（ＥＰＳ）ベアラＱｏＳ情報の一部として与えられ得る。マーキングはｅＮＢまでずっと搬送され得る。ｅＮＢは、あるデータトラフィックがオフロードされ得るかまたはオフロードされるべきであるかどうかを決定するために、マーキング中の情報を使用し得る。
【００６４】
[0085]図５は、本開示の第１の手法の第２の態様による、アタッチプロシージャを示す例示的な図５００である。最初に、ＵＥは、アタッチプロシージャを介して、登録を必要とするサービスを受信するためにコアネットワークに登録する。例示的な図５００は、ＵＥ５０２と、ｅＮＢ５０４と、新しいＭＭＥ５０６と、古いＭＭＥ／ＳＧＳＮ５０８と、機器識別情報レジスタ（ＥＩＲ：equipment identity register）５１０と、Ｓ−ＧＷ５１２と、Ｐ−ＧＷ５１４と、ＰＣＲＦ５１６と、ＨＳＳ５１８との間の対話を示す。動作１において、ＵＥ５０２はアタッチ要求をｅＮＢ５０４に送り、ｅＮＢ５０４はアタッチ要求を新しいＭＭＥ５０６にフォワーディングする（動作２）。応答して、動作３において、新しいＭＭＥ５０６は識別要求を古いＭＭＥ／ＳＧＳＮ５０８に送り、古いＭＭＥ／ＳＧＳＮ５０８は識別応答を新しいＭＭＥ５０６に返す。ＵＥ５０２が古いＭＭＥ／ＳＧＳＮ５０８と新しいＭＭＥ５０６の両方において未知である場合、新しいＭＭＥ５０６は識別情報要求をＵＥ５０２に送り、ＵＥ５０２は識別情報応答を新しいＭＭＥ５０６に返す（動作４）。動作５ａにおいて、認証およびセキュリティセットアップが、ＵＥ５０２と新しいＭＭＥ５０６との間で、ならびに新しいＭＭＥ５０６とＨＳＳ５１８との間で実行される。動作５ｂにおいて、新しいＭＭＥ５０６は、識別情報要求／応答プロシージャを介してＵＥ５０２からモバイル機器（ＭＥ）識別情報を取り出し、新しいＭＭＥ５０６は、その後、アタッチプロシージャを続けるべきかどうかを決定するために、ＥＩＲ５１０を用いてＭＥ識別情報を検査する。動作６において、ＵＥ５０２は、暗号化オプション要求／応答プロシージャによって、暗号化オプションを新しいＭＭＥ５０６から取り出す。
【００６５】
[0086]動作７において、ＵＥ５０２について新しいＭＭＥ５０６中にアクティブベアラコンテキストがある場合、新しいＭＭＥ５０６は、セッション削除要求を、セッション削除応答を用いて確認応答するＳ−ＧＷ５１２およびＰ−ＧＷ５１４に送ることによってこれらのアクティブベアラコンテキストを削除し、Ｐ−ＧＷ５１４におけるＰＣＥＦは、リソースが解放されたことを示すために、ＰＣＲＦ５１６を用いてＩＰ接続性アクセスネットワーク（ＩＰ−ＣＡＮ：IP connectivity access network）セッション終了プロシージャを実行する。
【００６６】
[0087]動作８において、新しいＭＭＥ５０６はロケーション更新要求をＨＳＳ５１８に送信し得る。動作９において、ＨＳＳはロケーション消去メッセージを古いＭＭＥ／ＳＧＳＮ５０８に送り、古いＭＭＥ／ＳＧＳＮ５０８はロケーション消去Ａｃｋメッセージを用いて確認応答し、ベアラコンテキストを取り除く。動作１０において、ＵＥ５０２について古いＭＭＥ／ＳＧＳＮ５０８中にアクティブベアラコンテキストがある場合、古いＭＭＥ／ＳＧＳＮ５０８は、セッション削除要求を、セッション削除応答を用いて確認応答するＳ−ＧＷ５１２およびＰ−ＧＷ５１４に送ることによってこれらのアクティブベアラコンテキストを削除し、Ｐ−ＧＷ５１４におけるＰＣＥＦは、リソースが解放されたことを示すために、ＰＣＲＦ５１６を用いてＩＰ−ＣＡＮセッション終了プロシージャを実行する。動作１１において、ＨＳＳ５１８は、ロケーション更新Ａｃｋメッセージを新しいＭＭＥ５０６に送ることによって、ロケーション更新要求に確認応答し得る。
【００６７】
[0088]動作１２において、新しいＭＭＥ５０６は、Ｓ−ＧＷ５１２を選択し、セッション作成要求をＳ−ＧＷ５１２に送る。動作１３において、Ｓ−ＧＷ５１２はセッション作成要求をＰ−ＧＷ５１４にフォワーディングする。動作１４において、Ｐ−ＧＷ５１４は、ＩＰ−ＣＡＮセッション確立プロシージャを実行し、それにより、ＵＥ５０２のためのデフォルトＰＣＣルールを取得する。動作１４において、ＩＰ−ＣＡＮセッション確立／変更中に、ＰＣＲＦ５１６は、認可不要アクセスを示す特定のＤＳＣＰのためのＡＤＣルールをＰ−ＧＷ５１４に送る。動作１５において、Ｐ−ＧＷ５１４はセッション作成応答をＳ−ＧＷ５１２に返し、第１のダウンリンクデータがＰ−ＧＷ５１４からＳ−ＧＷ５１２に通信され得る。Ｐ−ＧＷ５１４は、ベアラについて２次セルへのオフロード能力を許可し、動作１５においてＳ−ＧＷ５１２に送られるセッション作成要求中にオフロード能力の指示を含め得る。動作１６において、セッション作成応答は新しいＭＭＥ５０６にフォワーディングされる。Ｓ−ＧＷ５１２は、動作１６において新しいＭＭＥ５０６に送られるセッション作成要求を介して、オフロード能力の指示をフォワーディングし得る。動作１７において、新しいＭＭＥ５０６は初期コンテキストセットアップ要求をｅＮＢ５０４に送る。新しいＭＭＥ５０６は、動作１７においてｅＮＢ５０４に送られる初期コンテキストセットアップ要求を介して、ｅＮＢ５０４にオフロード能力の指示を送り得る。
【００６８】
[0089]動作１８において、ｅＮＢ５０４は、ＥＰＳ無線ベアラ識別情報を含むＲＲＣ接続再構成メッセージをＵＥ５０２に送り、アタッチ受付メッセージがＵＥ５０２に送られることになる。動作１９において、ＵＥ５０２はＲＲＣ接続再構成完了メッセージをｅＮＢ５０４に送る。動作２０において、ｅＮＢ５０４は初期コンテキスト応答メッセージを新しいＭＭＥ５０６に送る。動作２１において、ＵＥ５０２は、アタッチ完了メッセージを含む直接転送メッセージをｅＮＢ５０４に送る。動作２２において、ｅＮＢ５０４は、アップリンクＮＡＳトランスポートメッセージ中で新しいＭＭＥ５０６にアタッチ完了メッセージをフォワーディングし、次いで、第１のＵＬデータがＳ−ＧＷ５１２を介してＰ−ＧＷ５１４に通信され得る。
【００６９】
[0090]動作２３において、動作２０中の初期コンテキスト応答メッセージと動作２２中のアタッチ完了メッセージとの両方の受信時に、新しいＭＭＥはベアラ変更要求メッセージをＳ−ＧＷ５１２に送る。動作２３ａにおいて、ハンドオーバ指示が動作２３中に含まれる場合、Ｓ−ＧＷ５１２は、パケットを非３ＧＰＰ  ＩＰアクセスシステムから３ＧＰＰアクセスシステムにトンネリングし、パケットをＳ−ＧＷ５１２にルーティングすることを直ちに開始するようにＰ−ＧＷ５１４に促すために、ベアラ変更要求メッセージをＰ−ＧＷ５１４に送る。動作２３ｂにおいて、Ｐ−ＧＷ５１４は、ベアラ変更応答をＳ−ＧＷ５１２に送ることによって確認応答する。動作２４において、Ｓ−ＧＷ５１２は、ベアラ変更応答メッセージを新しいＭＭＥ５０６に送ることによって肯定応答する。次いで、ＵＥ５０２はＳ−ＧＷ５１２を介してＰ−ＧＷ５１４から第１のＤＬデータを受信し得る。動作２５において、新しいＭＭＥ５０６は、非３ＧＰＰアクセスを用いたモビリティについて、ＡＰＮおよびＰ−ＧＷ５１４識別情報を含む通知要求をＨＳＳ５１８に送り、次いで、通知応答をＨＳＳ５１８から受信する。
【００７０】
[0091]第１の手法の第２の態様によるデータスケジューリングのためにいくつかの異なるオプションが利用可能である。第１の手法の第２の態様によるデータスケジューリングのための第１のオプションによれば、Ｐ−ＧＷは、２次セル上でデータをスケジュールすることに関する命令／ポリシーを与え得る。命令はＥＰＳベアラごとにおよび／またはデータフローごとに与えられ得る。命令は、デフォルトＥＰＳベアラアクティブ化および／または専用ＥＰＳベアラアクティブ化および／またはデフォルト／専用ＥＰＳベアラ変更中に与えられ得る。
【００７１】
[0092]データスケジューリングのための第１のオプションによれば、２次セル上でデータをスケジュールすることに関する命令／ポリシーがデフォルトＥＰＳベアラアクティブ化中に与えられる場合、Ｐ−ＧＷは、ＰＣＲＦからセル特性固有ポリシーを受信し得、ここで、ポリシーは１次セルと２次セルとに適用される。Ｐ−ＧＷは、セル特性固有ポリシーに基づいてセル特性固有使用のいくつかのルール（セル特性固有使用ルール）を決定し、（たとえば、Ｓ−ＧＷおよびＭＭＥを介して）ｅＮＢにこれらのセル特性固有使用ルールをフォワーディングする。セル特性固有使用ルールはＵＬ通信とＤＬ通信とについて別々に定義され得る。セル特性固有使用ルールは、たとえば、（認可スペクトル中の）１次セル上で送信されるデータ量に対する、（認可不要スペクトル中の）２次セル上で送信されるデータ量の所望の割合（たとえば、５０％）を含み得る。セル特性固有使用ルールは、１次セル上で通信されることを許容される（たとえば、バイト単位での）最大データ量を含み得る。ｅＮＢがセル特性固有使用ルールを受信すると、ｅＮＢは、次いで、ベアラがどのようにサービスされるかを決定するためにこれらのセル特性固有使用ルールを使用することになる。たとえば、ベアラがＷＬＡＮ使用を許容されない場合、ｅＮＢは、ＷＬＡＮ許容ベアラがないとき、対応するＵＥのためのＷＬＡＮインターワーキングを開始しないことがある。同様に、１つまたは複数のベアラが許容ＷＬＡＮベアラである場合、ｅＮＢは、対応するＵＥのためのＷＬＡＮインターワーキングを開始し得る。データスケジューリングのための第１のオプションのための例示的な使用が図６に示されている。
【００７２】
[0093]図６は、本開示の一態様による、デフォルトＥＰＳベアラアクティブ化プロシージャを示す例示的な図６００である。例示的な図６００は、ＵＥ６０２と、ｅＮＢ６０４と、ＭＭＥ６０６と、Ｓ−ＧＷ６０８と、Ｐ−ＧＷ６１０と、ＰＣＲＦ６１２と、ＨＳＳ６１４との間の対話を示す。デフォルトベアラアクティブ化プロシージャは、スタンドアロンであるか、またはアタッチプロシージャ中のアタッチ要求メッセージ中に含まれるかのいずれかであり得る、ＰＤＮ接続性要求を介して、ＵＥ６０２によってアクティブにされ得る。動作１において、ＵＥ６０２はＰＤＮ接続性要求をＭＭＥ６０６に送る。動作２において、ＭＭＥ６０６は、ベアラ識別子を割り振り、セッション作成要求をＳ−ＧＷ６０８に送る。動作３において、Ｓ−ＧＷ６０８はセッション作成要求をＰ−ＧＷ６１０にフォワーディングする。動作４において、Ｐ−ＧＷ６１０は、ＰＣＲＦ６１２を用いてＩＰ−ＣＡＮセッション確立／変更を実行する。特に、ＩＰ−ＣＡＮセッション確立中に、Ｐ−ＧＷ６１０は、デフォルトベアラのために利用可能であるセル特性固有ポリシーをＰＣＲＦ６１２から受信し得る。動作５において、Ｐ−ＧＷ６１０は作成応答をＳ−ＧＷ６０８に送り、次いで、第１のＤＬデータがＰ−ＧＷ６１０からＳ−ＧＷ６０８に送られ得る。特に、動作５において、Ｐ−ＧＷ６１０は、ＰＣＲＦ６１２から受信されたセル特性固有ポリシーに基づいてセル特性固有使用ルールを決定し、Ｓ−ＧＷ６０８に送られるべきセッション作成応答中にセル特性固有使用ルールを含める。Ｐ−ＧＷ６１０は、セッション作成応答内のセル特性固有使用ルールのための新しい情報要素中にセル特性固有使用ルールを含め得る。動作６において、Ｓ−ＧＷ６０８はセッション作成応答をＭＭＥ６０６にフォワーディングする。したがって、動作６において、Ｓ−ＧＷ６０８は、セッション作成応答内のセル特性固有使用ルールをＭＭＥ６０６にフォワーディングする。動作７において、ＭＭＥ６０６は、ベアラセットアップ要求メッセージを介してセル特性固有使用ルールをｅＮＢ６０４にフォワーディングし、また、ＰＤＮ接続性受付メッセージをｅＮＢ６０４にフォワーディングし得る。動作８〜１６を含む後続の動作は、セル特性固有使用ルールに従って実行され得ることに留意されたい。
【００７３】
[0094]動作８において、ｅＮＢ６０４はＲＲＣ接続再構成をＵＥ６０２に送り、ここで、ＲＲＣ接続再構成はＰＤＮ接続性受付メッセージを含み得、動作９において、ＵＥ６０２はＲＲＣ接続再構成完了をｅＮＢ６０４に送る。動作１０において、ｅＮＢ６０４はベアラセットアップ応答をＭＭＥ６０６に送る。動作１１において、ＵＥ６０２は、ＥＰＳベアラ識別情報を含むＰＤＮ接続性完了メッセージを構築し、次いで、直接転送（ＰＤＮ接続性完了）メッセージをｅＮＢ６０４に送る。動作１２において、ｅＮＢ６０４は、アップリンクＮＡＳトランスポート（ＰＤＮ接続性完了）メッセージをＭＭＥ６０６に送る。その後、ＵＥがＰＤＮアドレス情報を取得したとき、ＵＥはＵＬデータをｅＮＢ６０４に送り得る。次いで、ＵＰデータはＳ−ＧＷ６０８とＰ−ＧＷ６１０とにトンネリングされる。
【００７４】
[0095]動作１３において、（たとえば、動作１０中の）ベアラセットアップ応答メッセージと（たとえば、動作１２中の）ＰＤＮ接続性完了メッセージとを受信すると、ＭＭＥ６０６はベアラ変更要求をＳ−ＧＷ６０８に送る。動作１３ａにおいて、ハンドオーバ指示が動作１３中に含まれる場合、Ｓ−ＧＷ６０８は、パケットを非３ＧＰＰ  ＩＰアクセスシステムから３ＧＰＰアクセスシステムにトンネリングし、デフォルトＥＰＳベアラと確立された任意の専用ＥＰＳベアラとのためのパケットをＳ−ＧＷ６０８にルーティングすることを開始するようにＰ−ＧＷ６１０に促すために、ベアラ変更要求をＰ−ＧＷ６１０に送る。動作１３ｂにおいて、Ｐ−ＧＷ６１０は、ベアラ変更応答をＳ−ＧＷ６０８に送ることによって確認応答する。動作１４において、Ｓ−ＧＷ６０８は、ベアラ変更応答をＭＭＥ６０６に送ることによって確認応答する。次いで、ＵＥ６０２はＳ−ＧＷ６０８を介してＰ−ＧＷ６１０からＤＬデータを受信し得る。ＭＭＥ６０６が動作１４中でベアラ変更応答を受信し、いくつかの条件が満たされた後、ＭＭＥ６０６は、動作１５において、非３ＧＰＰアクセスを用いたモビリティについて、Ｐ−ＧＷアドレスとＡＰＮとを含む通知要求をＨＳＳ６１４に送る。動作１６において、ＨＳＳ６１４は、Ｐ−ＧＷ識別情報と関連するＡＰＮとを記憶し、通知応答をＭＭＥ６０６に送る。
【００７５】
[0096]データスケジューリングのための第２のオプションによれば、命令は、たとえば、図７に示されているように、専用ＥＰＳベアラアクティブ化中に与えられ得る。図７は、本開示の一態様による、専用ＥＰＳベアラアクティブ化プロシージャを示す例示的な図７００である。例示的な図７００は、ＵＥ７０２と、ｅＮＢ７０４と、ＭＭＥ７０６と、Ｓ−ＧＷ７０８と、Ｐ−ＧＷ７１０と、ＰＣＲＦ７１２との間の対話を示す。動作１において、ＩＰ−ＣＡＮセッション変更中に、ＰＣＲＦ７１２は、専用ベアラのためのセル特性固有ポリシーをＰ−ＧＷ７１０に与える。動作２において、Ｐ−ＧＷ７１０は作成応答をＳ−ＧＷ７０８に送る。特に、動作２において、Ｐ−ＧＷ７１０は、ＰＣＲＦ７１２から受信されたセル特性固有ポリシーに基づいてセル特性固有使用ルールを決定し、Ｓ−ＧＷ７０８に送られるべきセッション作成応答中にセル特性固有使用ルールを含める。Ｐ−ＧＷ７１０は、セッション作成応答内のセル特性固有使用ルールのための新しい情報要素中にセル特性固有使用ルールを含め得る。動作３において、Ｓ−ＧＷ７０８はセッション作成応答をＭＭＥ７０６にフォワーディングする。したがって、動作３において、Ｓ−ＧＷ７０８は、セッション作成応答内のセル特性固有使用ルールをＭＭＥ７０６にフォワーディングする。動作４において、ＭＭＥ７０６は、ベアラセットアップ要求メッセージを介してセル特性固有使用ルールをｅＮＢ７０４にフォワーディングし、セッション管理要求をｅＮＢ７０４にフォワーディングし得る。動作５〜１２を含む後続の動作は、セル特性固有使用ルールに従って実行され得ることに留意されたい。
【００７６】
[0097]動作５において、ｅＮＢ７０４は、ＥＰＳベアラＱｏＳを無線ベアラＱｏＳにマッピングし、次いで、ＲＲＣ接続再構成メッセージをＵＥ７０２に送り、動作６において、ＵＥ７０２ＵＥは、ＲＲＣ接続再構成完了メッセージをｅＮＢ７０４に送ることによって、ｅＮＢ７０４に対して無線ベアラアクティブ化を確認応答する。動作７において、ｅＮＢ７０４は、ベアラセットアップ応答メッセージをＭＭＥ７０６に送ることによって、ＭＭＥ７０６に対してベアラアクティブ化を確認応答する。動作８において、ＵＥ７０２は、ＥＰＳベアラ識別情報を含むセッション管理応答を構築し、次いで、（セッション管理応答を含む）直接転送メッセージをｅＮＢ７０４に送る。動作９において、ｅＮＢ７０４はセッション管理応答をＭＭＥ７０６に送る。動作１０において、（動作７中の）ベアラセットアップ応答メッセージと（動作９中の）セッション管理応答メッセージとを受信した後、ＭＭＥ７０６は、ベアラ作成応答メッセージをＳ−ＧＷ７０８に送ることによって、Ｓ−ＧＷ７０８に対してベアラアクティブ化を確認応答する。動作１１において、Ｓ−ＧＷ７０８は、ベアラ作成応答をＰ−ＧＷ７１０に送ることによって、Ｐ−ＧＷ７１０に対してベアラアクティブ化を確認応答する。動作１２において、Ｐ−ＧＷ７１０は、ＰＣＲＦ７１２とのＩＰ−ＣＡＮ変更プロシージャを実行する。たとえば、動作１２において、専用ベアラアクティブ化プロシージャが、ＰＣＲＦ７１２からのＰＣＣ決定プロビジョンメッセージによってトリガされた場合、Ｐ−ＧＷ７１０は、要求されたＰＣＣ決定（ＱｏＳポリシー）が施行され得るか否かをＰＣＲＦ７１２に示し、それにより、ＩＰ  ＣＡＮセッション変更プロシージャの完了が可能になる。
【００７７】
[0098]データスケジューリングのための第３のオプションによれば、Ｐ−ＧＷは、ＥＰＳベアラ変更プロシージャ中にデータスケジューリングのための命令を与え得る。コアネットワークは、セル特性固有使用に関するポリシーまたは条件の変化により、（たとえば、ＲＡＮを用いて）ＥＰＳベアラ変更プロシージャを開始し得る。たとえば、ＵＥが、（たとえば、ユーザのデータプランに基づいて）認可スペクトル使用の最大データ量に達した場合、コアネットワークは、認可不要スペクトルが使用され得、認可スペクトルが使用されるべきでないことをｅＮＢに示すために、ＥＰＳベアラ変更プロシージャを開始し得る。データスケジューリングのための第３のオプションのための例示的な使用が図８に示されている。
【００７８】
[0099]図８は、本開示の一態様による、ＥＰＳベアラ変更プロシージャを示す例示的な図８００である。例示的な図８００は、ＵＥ８０２と、ｅＮＢ８０４と、ＭＭＥ８０６と、Ｓ−ＧＷ８０８と、Ｐ−ＧＷ８１０と、ＰＣＲＦ８１２との間の対話を示す。動作１において、ＰＣＲＦ８１２は、Ｐ−ＧＷ８１０を用いてＩＰ＿ＣＡＮセッション変更を実行することによって、ＥＰＳベアラ変更プロシージャを開始する。たとえば、ＰＣＲＦ８１２は、ＥＰＳベアラ変更プロシージャの初期動作として、ＰＣＣ決定プロビジョン（ＱｏＳポリシー）メッセージをＰ−ＧＷ８１０に送り得る。動作２において、Ｐ−ＧＷ８１０は、サービスデータフローの許可されたＱｏＳが変化したことまたは変化しなかったことを（たとえば、ＱｏＳポリシーに基づいて）決定し、次いで、ベアラ更新要求をＳ−ＧＷ８０８に送る。したがって、動作２において、Ｐ−ＧＷ８１０は、たとえば、（たとえば、ＰＣＲＦ８１２からのＱｏＳポリシーに基づいて）セル特性固有使用ルールを変化させるために、ベアラ変更プロシージャの初期部分を実行する。動作２において、セル特性固有使用ルールが変化させられた後、Ｐ−ＧＷ８１０は、Ｓ−ＧＷ８０８へのベアラ更新要求中にセル特性固有使用ルールを含める。一態様では、Ｐ−ＧＷ８１０はまた、セル特性固有使用ルールの変化に関するＵＥ８０２への指示をベアラ更新要求中に含め得る。動作３において、Ｓ−ＧＷ８０８は、ベアラ更新要求をＭＭＥ８０６に送り、それにより、セル特性固有使用ルールをＭＭＥ８０６にフォワーディングする。動作４において、ＭＭＥ８０６は、ベアラ変更要求メッセージを介してセル特性固有使用ルールをｅＮＢ８０４にフォワーディングする。動作５〜１２を含む後続の動作は、セル特性固有使用ルールに従って実行され得ることに留意されたい。
【００７９】
[00100]動作５において、ｅＮＢ８０４は、変更ＥＰＳベアラＱｏＳを無線ベアラＱｏＳにマッピングし、次いで、ＲＲＣ接続再構成メッセージをＵＥ８０２に送り、動作６において、ＵＥ８０２ＵＥは、ＲＲＣ接続再構成完了メッセージをｅＮＢ８０４に送ることによって、ｅＮＢ８０４に対して無線ベアラアクティブ化を確認応答する。動作７において、ｅＮＢ８０４は、ベアラ変更応答メッセージをＭＭＥ８０６に送ることによって、ＭＭＥ８０６に対してベアラ変更を確認応答する。動作８において、ＵＥ８０２は、ＥＰＳベアラ識別情報を含むセッション管理応答を構築し、次いで、直接転送メッセージをｅＮＢ８０４に送る。動作９において、ｅＮＢ８０４はセッション管理応答メッセージをＭＭＥ８０６に送る。動作１０において、（動作７中で）ベアラ変更応答メッセージを受信し、（動作９中で）セッション管理応答メッセージを受信した後、ＭＭＥ８０６は、ベアラ更新応答メッセージをＳ−ＧＷ８０８に送ることによって、Ｓ−ＧＷ８０８に対してベアラ変更を確認応答する。動作１１において、Ｓ−ＧＷ８０８は、ベアラ更新応答をＰ−ＧＷ８１０に送ることによって、Ｐ−ＧＷ８１０に対してベアラ変更を確認応答する。動作１２において、Ｐ−ＧＷ８１０は、ＰＣＲＦ８１２とのＩＰ−ＣＡＮ変更プロシージャを実行する。たとえば、動作１２において、ベアラ変更プロシージャが、ＰＣＲＦ８１２からのＰＣＣ決定プロビジョンメッセージによってトリガされた場合、Ｐ−ＧＷ８１０は、ＰＣＲＦ８１２に、要求されたＰＣＣ決定（ＱｏＳポリシー）が施行され得るか否かを示し、それにより、ＩＰ  ＣＡＮセッション変更プロシージャの完了が可能になる。
【００８０】
[00101]第１の手法の第３の態様によれば、ＭＭＥは、ＭＭＥからの明示的指示としてセル特性固有使用ルールをＲＡＮに与えるように構成される。上記で説明されたように、セル特性固有使用ルールはＵＥごとに適用され得る。セル特性固有使用ルールは、ＨＳＳから受信されたサブスクリプション情報および／または構成情報に基づき得る。ＲＡＮは、セル特性固有使用ルールを組み合わせることを決定し得る。より詳細には、第１の手法の第３の態様によれば、ＭＭＥは、あらゆるＵＥについて、ＭＭＥとｅＮＢとの間のＳ１−ＡＰコンテキストセットアップ中にセル特性固有使用ルールを与える。Ｓ１−ＡＰコンテキストセットアップは、ＵＥがｅＮＢとの新しい接続を確立しているとき、ＭＭＥとｅＮＢとの間で実行される。Ｓ１−ＡＰコンテキストセットアップは、（たとえば、ターゲットｅＮＢとターゲットＭＭＥとの間に確立される）アタッチプロシージャ、トラッキングエリア更新プロシージャ、サービス要求プロシージャ、またはハンドオーバプロシージャのうちの少なくとも１つ中に実行され得る。ＭＭＥは、ＭＭＥからｅＮＢに送られる初期コンテキストセットアップ要求中にセル特性固有使用ルールを与え得る。さらに、ＭＭＥは、たとえば、ＵＥが、異なるセル特性固有ルールが適用される新しいエリアにハンドオーバされる場合、セル特性固有ルールを変化させるためにＵＥコンテキスト変更プロシージャを開始し得る。
【００８１】
[00102]図９は、本開示の第１の手法の第３の態様による、サービス要求プロシージャを示す例示的な図９００である。例示的な図９００は、ＵＥ９０２と、ｅＮＢ９０４と、ＭＭＥ９０６と、Ｓ−ＧＷ９０８と、Ｐ−ＧＷ９１０と、ＰＣＲＦ９１２と、ＨＳＳ９１４との間の対話を示す。動作１において、ＵＥ９０２はＮＡＳメッセージサービス要求をｅＮＢ９０４に送り、動作２において、ｅＮＢ９０４はＮＡＳメッセージサービス要求をＭＭＥ９０６にフォワーディングする。ＮＡＳメッセージサービス要求はＳ１−ＡＰ：初期ＵＥメッセージ中にカプセル化され得る。動作３において、認証およびセキュリティプロシージャが、ＵＥ９０２とＭＭＥ９０６との間で、およびＭＭＥ９０６とＨＳＳ９１４との間で実行される。動作４において、ＭＭＥ９０６はＳ１−ＡＰ初期コンテキストセットアップ要求をｅＮＢ９０４に送る。特に、動作４において、ＭＭＥ９０６は、Ｓ１−ＡＰ初期コンテキストセットアップ要求中のセル特性固有ルールをｅＮＢ９０４に与える。
【００８２】
[00103]動作５において、ｅＮＢ９０４はＵＥ９０２との無線ベアラ確立プロシージャを実行する。動作６において、ｅＮＢ９０４はＵＬデータをＳ−ＧＷ９０８に送り、Ｓ−ＧＷ９０８はＵＬデータをＰ−ＧＷ９１０にフォワーディングする。動作７において、ｅＮＢ９０４はＳ１−ＡＰメッセージ初期コンテキストセットアップ完了をＭＭＥ９０６に送る。動作８において、ＭＭＥ９０６はベアラ変更要求をＳ−ＧＷ９０８に送る。動作９において、ある変化が（たとえば、ＲＡＴタイプまたはＵＥロケーションに）起こった場合、Ｓ−ＧＷ９０８はベアラ変更要求をＰ−ＧＷ９１０に送る。動作１０において、Ｐ−ＧＷ９１０は、ＰＣＥＦ開始型ＩＰ  ＣＡＮセッション変更プロシージャを介してＲＡＴタイプに従ってＰＣＣルールを得るために、ＰＣＲＦ９１２と対話する。動作１１において、Ｐ−ＧＷ９１０はベアラ変更応答をＳ−ＧＷ９０８に送る。
【００８３】
[00104]第１の手法の第４の態様によれば、ＲＡＮは、ＯＡＭ機能を介してセル特性固有使用ルールを用いて（たとえば、コアネットワークによって）構成され得る。特に、ｅＮＢは、任意の点においてセル特性固有使用ルールを用いて構成され得る。ＲＡＮは、セル特性固有使用ルールを組み合わせることを決定し得ることに留意されたい。
【００８４】
[00105]本開示の第２の手法は、アカウンティングおよび課金に関係する問題に対処する。本開示によれば、課金（たとえば、通信されたデータのための課金）は明示的にまたは暗黙的に実行され得る。明示的課金は、２次セル上でトランスポートされるパケットのマーキング、あるいはｅＮＢが１次セルおよび／または２次セル上で送信されるデータボリュームの何らかの報告を実行する必要がないときのパケットのマーキングに基づき得る。一態様では、ＲＡＮ（たとえば、ｅＮＢ）は、パケットが、認可スペクトル中の１次セル上で通信されたのか、認可不要スペクトル中の２次セル上で通信されたのかに関する情報を与える指示を用いてパケットをマークすることによって、明示的マーキングを与え得る。特に、ＲＡＮ（たとえば、ｅＮＢ）は、どのパケットが認可アクセス上でまたは認可不要アクセス上でトランスポートされたかを識別し、指示を用いてそのようなパケットをマークする。マーキングは、ルールを作成するためにコアネットワークを通して搬送され得る。作成されたルールは、ＤＬ中のパケットが（１次セル上か２次セル上かにかかわらず）ＵＬパケットと同様の方法で通信されることになるというルール、またはＵＬおよびＤＬ通信においてこのＤＳＣＰマーキングを用いてパケットのための特定の課金およびアカウンティング命令を定義するルールであり得る。
【００８５】
[00106]図１０は、本開示の第２の手法による、明示的マーキングを示す例示的な図１０００である。例示的な図１０００は、ｅＮＢ１００２と、Ｓ−ＧＷ１００４と、Ｐ−ＧＷ１００６と、トラフィック検出機能（ＴＤＦ）１００８と、ＰＣＲＦ１０１０との間の対話を示す。動作０および動作１において、ｅＮＢは、パケットが２次セル上で通信されたことを示すために、新しい指示を追加すること（たとえば、新しい情報要素をＧＴＲ−Ｕヘッダに追加すること）によって、２次セル上で実際にトランスポートされたパケットのＧＴＰ−Ｕヘッダを（たとえば、Ｓ１−Ｕインターフェース上で）「マークする」。したがって、動作１において、ＧＴＰ−Ｕヘッダ中のマーキングをもつパケットが、ｅＮＢ１００２からＳ−ＧＷ１００４に送られる。動作２において、Ｓ−ＧＷは、Ｓ５インターフェースおよび／またはＳ８インターフェース上でマーキングをもつ同じＧＴＰ−Ｕを維持し、同じＧＴＰ−Ｕマーキングをもつパケットを、ＰＣＥＦを含むＰ−ＧＷ１００６に送る。動作３において、Ｐ−ＧＷ１００６は、差別化サービスコードポイント（ＤＳＣＰ）値を用いて、このＧＴＰ−Ｕヘッダを含んでいるＩＰパケットをマークする。たとえば、実験的またはローカル使用のために予約された範囲中のＤＳＣＰ値など、特定の意味のために使用されなかったＤＳＣＰ値が、ＩＰパケットをマークするために使用され得る。代替的に、認可不要アクセスを示し、ＩＰパケットをマークするために、前に利用されなかった新しいＤＳＣＰ値が定義され得る。さらに、動作３において、ＤＳＣＰは、マークされたＩＰパケットをＴＤＦ１００８に送信し得る。動作４において、ＴＤＦ１００８は、検出されたＵＬトラフィックを、インストールされたアプリケーション検出および制御（ＡＤＣ）ルール内の特定のＤＳＣＰとマッチし、イベント開始メッセージをＰＣＲＦ１０１０に送る。特に、ＴＤＦ１００８は、パケットに関する情報（パケットが１次セル上で通信されるのか２次セル上で通信されるのか）をＰＣＲＦ１０１０に与え得る。動作５ａにおいて、ＰＣＲＦは、ＤＬにおけるパケットが（１次セル上か２次セル上かにかかわらず）ＵＬパケットと同様の方法で通信されることになるように、ＤＳＣＰ値を用いてＤＬにおけるパケットをマークするためにＴＤＦ１００８が使用する新しいＡＤＣルールを作成し、その新しいＡＤＣルールをＴＤＦ１００８に与える。動作５ｂにおいて、ＰＣＲＦは、ＵＬおよびＤＬ通信におけるこのＤＳＣＰマーキングをもつパケットについて特定の課金およびアカウンティング命令を定義するための新しいＰＣＣルールを作成し、その新しいＰＣＣルールをＰ−ＧＷ１００６に与える。
【００８６】
[00107]一態様では、パケットのいずれかの部分が２次セル上で搬送された場合、パケット全体が、２次セル上でルーティングされるものとしてマークされる。また、このソリューションは、ベアラのためのデータトラフィックが２次セル上でＵＬの上でルーティングされている場合、そのベアラのためのデータトラフィックは、アカウンティング目的のために２次セル上でルーティングされると考えられると仮定することに留意されたい。
【００８７】
[00108]本開示の第２の手法による明示的マーキングは、以下の利点を与え得る。特殊な課金またはアカウンティング機能がｅＮＢにおいて必要とされない。ｅＮＢは、ベアラ内で、ＰＣＣルールを受信することおよび／またはＳＤＦを検出することを必要とされない。ＰＣＲＦは、特定のタイプのトラフィックのみを認可不要にマッピングする（たとえば、認可不要スペクトル中のビデオストリーミングを許容するが、認可不要スペクトル上のファイル転送を許容しない）新しいＰＣＣおよびＡＤＣルールを作成するように構成される。明示的マーキングはまた、本開示の第２の手法が、ＨＰＬＭＮが課金ルールを訪問先パブリックランドモバイルネットワーク（ＶＰＬＭＮ：Visited Public Land Mobile Network）に公開することを必要としないので、ＶＰＬＭＮとＨＰＬＭＮとの間の十分な分離を与え得る。
【００８８】
[00109]別の態様では、ｅＮＢは、１次セル上で通信されるデータ量と２次セル上で通信されるデータ量との比率を示すために比率マーキングを与え得る。ＵＬパケットについての１次セルと２次セルとの間のデータ量の比率は、ＤＬパケットについての１次セルと２次セルとの間のデータ量の比率とは異なり得、したがって、別個の比率値がＵＬパケットについておよびＤＬパケットについて与えられ得る。一例では、ＤＬパケットの１００％（およびＵＬパケットの０％）が２次セルの上で通信され得るが、ＵＬパケットの１００％（およびＤＬパケットの０％）が１次セルの上で通信され得る。別の例では、ＤＬパケットの４０％（およびＵＬパケットの６０％）が２次セルの上で通信され得るが、ＵＬパケットの５０％（およびＤＬパケットの５０％）が１次セルの上で通信され得る。ｅＮＢは、どのパケットが１次セル上で通信されるか、またはどのパケットが２次セル上で通信されるかに関する決定を行う。そのような決定は、負荷状態、無線状態、ローカルポリシー、訪問先ネットワークポリシーなど、様々なファクタに依存し得る。
【００８９】
[00110]本態様によれば、より正確な課金を与えるために、ｅＮＢは、コアネットワークに、１次セル上で送られているＵＬ上のパケット対２次セル上で送られているＵＬ上のパケットの比率の指示を用いて、データフローのＵＬパケットをマークする。一例では、指示は、ＵＬパケットの３０％およびＤＬパケットの３０％が２次セル上で通信されるべきであるようにコアネットワークによって解釈されるべきである単一の比率値（たとえば、３０％）を含み得る。別の例では、指示は、別々にＵＬおよびＤＬについて２次セル上で送られるパケットの実際の比率のより正確な指示を与えるために、２つの比率値（たとえば、ＵＬ３０％−ＤＬ７０％）を含み得る。ｅＮＢはあらゆるパケット中でそのような指示を与え得る。代替的に、ｅＮＢは、ｅＮＢによって定義されたパケット間隔に基づいてそのような指示を与え得る。たとえば、ｅＮＢは、比率を確立し、時間間隔ｔ０に基づいて周期的にそのような指示を送り得る。一例では、ｅＮＢが、比率が変化したと決定するまで、ｅＮＢは、ＳＤＦ  ＵＬパケット中で新しい指示を送らないことがある。別の代替として、ｅＮＢは、値（たとえば、０または１）を用いて各パケットをマークし得、ここで、各値は、シグナリングされるコンポーネント（２次セル合計あるいはＵＬトラフィックまたはＤＬトラフィック）に対応し、したがって、シグナリングされるコンポーネントの比率は、時間とともに平均化される値の比率に基づいて決定され得る。たとえば、値０が認可アクセスに対応し、値１が認可不要アクセスに対応し、１００個の受信パケットのうちの４０個のパケットが認可不要アクセスを介して受信される場合、コアネットワークは、パケットの４０％が２次セル上で通信されるべきである（および６０％が１次セル上で通信されるべきである）と決定し得る。さらに、ＤＬコンポーネントのみを有する（およびＵＬコンポーネントを有しない）かまたはごく少数の（たとえば、課金情報を報告するために必要とされるＵＬパケットの数よりも少数の）ＵＬパケットを有し得るＳＤＦについて、ｅＮＢは、比率を決定するためにＰＤＮゲートウェイによって受信される（たとえば、知られているルーティング不可能な宛先ＩＰアドレスをもつ）ダミーパケットを生成し得る。しかしながら、ＰＤＮゲートウェイは、ダミーパケットを別のエンティティにフォワーディングしないことがある。
【００９０】
[00111]コアネットワークがマーキングをどのように実行すべきかをＲＡＮに命令することを可能にすることが望ましいことがある。たとえば、ＲＡＮはあるオペレータに属し得、コアネットワークは別のオペレータに属し得、したがって、動作が正しく働くことを確認するために、ベアラが作成されるとき、ＰＤＮ  ＧＷは、必要とされるマーキングのタイプの指示をＲＡＮに与える。データベアラの確立時に、（前のソリューションにおいて説明された、ＰＣＲＦによって受信された情報に基づく）ＰＤＮ  ＧＷは、必要とされるマーキングのタイプの指示をＲＡＮに与え得る。指示は、各パケットのためのマーキング、比率がある割合よりも多く変化するときのマーキング、またはあるパケット周波数におけるマーキングのうちの少なくとも１つを含み得る。ＰＤＮ  ＧＷはまた、ｅＮＢがＤＬ専用ＳＤＦのために送る必要があり得るダミーパケットのフォーマットまたは宛先ＩＰアドレスをｅＮＢに与え得る。
【００９１】
[00112]第２の手法の別の態様は暗黙的課金を実装し、ここで、コアネットワーク（たとえば、Ｐ−ＧＷ）は、データパケットが２次セルの上でルーティングされるかのようにオフロード可能ベアラのデータ使用に課金する。したがって、データベアラが、データパケットを２次セルにオフロードするように構成されるときはいつでも、データベアラは、データパケットが２次セルの上でルーティングされるかのように課金される。たとえば、コアネットワークが、ＳＤＦが２次セルにオフロードされることを許可したか、またはＳＤＦが２次セルにオフロードされることを要求したとき、ＳＤＦは、ＳＤＦが２次セル上で実際にルーティングされるか否かにかかわらず、ＳＤＦが２次セルにオフロードされたかのように課金される。
【００９２】
[00113]本開示の第３の手法が、ＡＭＢＲに関連する機構を与える。コアネットワーク（たとえばＰＣＲＦ、ＰＤＮ  ＧＷ、またはＭＭＥ）は、１次セル（認可アクセス）のための少なくとも１つのＵＥ−ＡＭＢＲと、２次セル（認可不要アクセス）のための少なくとも１つのＵＥ−ＡＭＢＲとを含む、ＵＥ−ＡＭＢＲの複数の値を選択する。たとえば、コアネットワークは、１次セル上のＤＬ通信とＵＬ通信の両方について１つのＡＭＢＲ値を選択し、２次セル上のＤＬ通信とＵＬ通信の両方について１つのＡＭＢＲ値を選択し得る。この例では、コアネットワークは、どの値が１次セルのためのものであり、どの値が２次セルのためのものであるかの指示とともに、複数のＡＭＢＲ値をＲＡＮに（たとえば、ｅＮＢに）送り得る。別の例では、コアネットワークは、１次セル上のＤＬ通信のための１つのＡＭＢＲ値と、１次セル上のＵＬ通信のための１つのＡＭＢＲ値と、２次セル上のＤＬ通信のための１つのＡＭＢＲ値と、２次セル上のＵＬ通信のための１つのＡＭＢＲ値とを選択し得る。この例では、コアネットワークは、どのＡＭＢＲ値が１次セル上のＵＬ通信のためのものであり、どのＡＭＢＲ値が１次セル上のＤＬ通信のためのものであり、どのＡＭＢＲ値が２次セル上のＵＬ通信のためのものであり、どのＡＭＢＲ値が２次セル上のＤＬ通信のためのものであるかの指示とともに、複数のＡＭＢＲ値をＲＡＮに（たとえば、ｅＮＢに）送り得る。ＲＡＮ（たとえば、ｅＮＢ）は、指示に従ってＡＭＢＲ値を対応するセルに適用する。たとえば、プロビジョニングまたはＵＥ−ＡＭＢＲをサポートする現在のメッセージ（たとえば、初期コンテキストセットアップ要求メッセージを含み、Ｅ−ＲＡＢセットアップ要求、Ｅ−ＲＡＢ変更要求、Ｅ−ＲＡＢリリースコマンド中で随意の、ＮＡＳメッセージ）が、複数のＵＥ−ＡＭＢＲ値を配信するように拡張され得る。
【００９３】
[00114]図１１は、本開示の一態様による、ワイヤレス通信の方法のフローチャート１１００である。本方法は、コアネットワークエンティティ（たとえば、ＰＤＮゲートウェイ４１８、装置１５０２／１５０２’）によって実行され得る。コアネットワークエンティティは、認可スペクトルを利用する１次セルと、認可不要スペクトルを利用する２次セルとを含むＲＡＮに接続される。１１０２において、コアネットワークエンティティは、データトラフィック特性に基づいて、データトラフィックが２次セルにオフロードされるための許可を決定する。１１０４において、コアネットワークは許可の指示をＲＡＮに送信する。たとえば、上記で説明されたように、コアネットワークは、許可およびアカウンティングに関する決定を行うように構成され得る。たとえば、上記で説明されたように、コアネットワークは、あるデバイスのデータトラフィックが（たとえば、１次セルから）２次セルにオフロードされ得るかどうかを決定するように構成され得る。たとえば、上記で説明されたように、そのような許可およびアカウンティング決定を実装するために、コアネットワークは、特定のデータトラフィックが２次セルにオフロードされ得るかどうか（またはデータトラフィックのアグリゲーションが許容されるかどうか）をＲＡＮに示すことが可能であるべきである。１１０６において、コアネットワークは、以下で説明されるように追加の特徴を実行し得る。
【００９４】
[00115]一態様では、許可の指示はＱＣＩを含み、ＱＣＩは、２次セルにオフロードされることを許可されたデータトラフィックに関連するオフロード指示を含む。一態様では、ＱＣＩは、１次セル上で送信されるデータトラフィックのための別のＱＣＩとは別個である。たとえば、上記で説明されたように、コアネットワークは、２次セルにオフロードすることについてコアネットワークが許可するＳＤＦおよび／またはデータトラフィックに新しいＱＣＩ値を割り当てる。たとえば、上記で説明されたように、新しいＱＣＩ値に基づいて、ＲＡＮ（たとえばｅＮＢ）は、どのデータトラフィックが２次セルにオフロードされ得るかを決定する。一態様では、オフロード指示は、データトラフィックがオフロードされることを許容されることを示す。たとえば、上記で説明されたように、コアネットワークが、データフローが２次セルにオフロードされることを許可したことを示すために、新しいＱＣＩとして、ＳＤＦへの認可不要アクセスＱＣＩと呼ばれる別個のＱＣＩ。たとえば、上記で説明されたように、（従来の）ＱＣＩが、２次セルへのオフロード能力を示す新しいＱＣＩ値を含むように増補される。一態様では、オフロード指示は、２次セルが利用可能であるときはいつでも、データトラフィックが２次セルにオフロードされるべきであることを示す。たとえば、上記で説明されたように、別の態様によれば、認可不要アクセスＱＣＩは、２次セルが利用可能であるときはいつでも、データフローが２次セル（たとえば、２次セル４０８）にオフロードされることをコアネットワーク（たとえば、ＥＰＣ４１０）が要求することを示す。たとえば、上記で説明されたように、ＱＣＩ中の新しいＱＣＩ値は、ＳＤＦについて、ＳＤＦへのオフローディングが、ＵＬ通信に適用されるのか、ＤＬ通信に適用されるのか、ＵＬ通信とＤＬ通信の両方に適用されるのかを指定し得る。そのような態様では、オフロード指示は、２次セル上のアップリンク通信、２次セル上のダウンリンク通信、または２次セル上のアップリンク通信とダウンリンク通信の両方のうちの少なくとも１つに適用される。たとえば、上記で説明されたように、認可不要アクセスＱＣＩは、ＳＤＦについて、ＳＤＦへのオフローディングが、ＵＬ通信に適用されるのか、ＤＬ通信に適用されるのか、ＵＬ通信とＤＬ通信の両方に適用されるのかを指定し得る。
【００９５】
[00116]一態様では、許可の指示は、オフロードされることを許容されたベアラが、２次セルの上でルーティングされるように課金されることを示す。たとえば、上記で説明されたように、コアネットワーク（たとえば、Ｐ−ＧＷ）は、データパケットが２次セルの上でルーティングされるかのようにオフロード可能ベアラのデータ使用に課金する。
【００９６】
[00117]一態様では、コアネットワークエンティティは、ＲＡＮのためのセル特性に関連するポリシーをＰＣＲＦから受信することによって、データトラフィックが２次セルにオフロードされるための許可を決定し、ここで、許可の指示は、受信されたポリシーに基づいて決定される。そのような態様では、許可の指示は、１次セルを利用すべきなのか、２次セルを利用すべきなのか、１次セルと２次セルの両方を利用すべきなのかを示すために無線ベアラをマークすること、または受信されたポリシーに基づいて決定されたセル使用ルールを識別することのうちの少なくとも１つのために使用され、ここにおいて、１次セルおよび２次セルは、セル使用ルールに基づいて利用される。たとえば、上記で説明されたように、２次セルがサービングネットワーク中でサポートされる場合、ＰＣＲＦ（ローミングする場合は訪問先ＰＣＲＦ）は、各フローについて、（認可不要アクセスのための）２次セルが使用され得るかまたは使用されるべきである（たとえば、使用されることを要求される）かどうかを示すために、Ｇｘインターフェースを介してＰＣＥＦにインジケータを与える。たとえば、上記で説明されたように、ＰＣＲＦは、データトラフィックがオフローディングを許容されるか、またはトラフィックがオフロードされることを要求されることを示すために、インジケータを与える。たとえば、上記で説明されたように、インジケータ情報を受信した後、ＰＤＮゲートウェイにおけるＰＣＥＦは、データトラフィックが認可不要アクセスのための２次セルにオフロードされ得るかまたはオフロードされるべきであるという指示を用いて、（１つまたは複数の）ベアラをマークする。
【００９７】
[00118]そのような態様では、許可の指示は、受信されたポリシーに基づいて決定されたセル使用ルールを含み、１次セルおよび２次セルは、セル使用ルールに基づいて利用される。そのような態様では、セル使用ルールは、１次セル上で通信されるべきデータの割合に対する２次セル上で通信されるべきデータの割合の数、または１次セル上で通信されるべきデータの最大量のうちの少なくとも１つを含む。たとえば、上記で説明されたように、Ｐ−ＧＷは、セル特性固有ポリシーに基づいてセル特性固有使用のいくつかのルール（セル特性固有使用ルール）を決定し、（たとえば、Ｓ−ＧＷおよびＭＭＥを介して）ｅＮＢにこれらのセル特性固有使用ルールをフォワーディングする。たとえば、上記で説明されたように、セル特性固有使用ルールは、たとえば、（認可スペクトル中の）１次セル上で送信されるデータ量に対する、（認可不要スペクトル中の）２次セル上で送信されるデータ量の所望の割合（たとえば、５０％）を含み得る。たとえば、上記で説明されたように、セル特性固有使用ルールは、１次セル上で通信されることを許容される（たとえば、バイト単位での）最大データ量を含み得る。
【００９８】
[00119]そのような態様では、ポリシーは、デフォルト無線ベアラアクティブ化または専用無線ベアラアクティブ化のうちの少なくとも１つについて受信される。たとえば、上記で説明されたように、Ｐ−ＧＷは、２次セル上でデータをスケジュールすることに関する命令／ポリシーを与え得る。命令はＥＰＳベアラごとにおよび／またはデータフローごとに与えられ得る。たとえば、上記で説明されたように、命令は、デフォルトＥＰＳベアラアクティブ化および／または専用ＥＰＳベアラアクティブ化および／またはデフォルト／専用ＥＰＳベアラ変更中に与えられ得る。
【００９９】
[00120]そのような態様では、セル特性に関連するポリシーまたは状態のうちの少なくとも１つの変化があるとき、ポリシーがＰＣＲＦから受信され、許可の指示は、受信されたポリシーに基づいて決定される。たとえば、上記で説明されたように、コアネットワークは、セル特性固有使用に関するポリシーまたは条件の変化により、（たとえば、ＲＡＮを用いて）ＥＰＳベアラ変更プロシージャを開始し得る。
【０１００】
[00121]一態様では、許可の指示は、ＯＡＭプロトコルを介してＲＡＮに送信される。たとえば、上記で説明されたように、ＲＡＮは、ＯＡＭ機能を介してセル特性固有使用ルールを用いて（たとえば、コアネットワークによって）構成され得る。
【０１０１】
[00122]図１２は、図１１のフローチャート１１００から展開する、ワイヤレス通信の方法のフローチャート１２００である。本方法は、コアネットワークエンティティ（たとえば、ＰＤＮゲートウェイ４１８、装置１５０２／１５０２’）によって実行され得る。１１０６において、フローチャート１２００は図１１のフローチャート１１００から展開される。１２０４において、コアネットワークエンティティは、ユーザ機器について、１次セルのための第１のＡＭＢＲ値と、２次セルのための第２のＡＭＢＲ値とを決定する。１２０６において、コアネットワークエンティティは、第１のＡＭＢＲ値が１次セルのためのものであり、第２のＡＭＢＲ値が２次セルのためのものであるという指示とともに、第１のＡＭＢＲ値と第２のＡＭＢＲ値とをＲＡＮに送信する。一態様では、第１のＡＭＢＲ値は、１次セルのための第１のアップリンクＡＭＢＲ値と第１のダウンリンクＡＭＢＲ値とを含み、第２のＡＭＢＲ値は、２次セルのための第２のアップリンクＡＭＢＲ値と第２のダウンリンクＡＭＢＲ値とを含む。たとえば、上記で説明されたように、コアネットワーク（たとえばＰＣＲＦ、ＰＤＮ  ＧＷ、またはＭＭＥ）は、１次セル（認可アクセス）のための少なくとも１つのＵＥ−ＡＭＢＲと、２次セル（認可不要アクセス）のための少なくとも１つのＵＥ−ＡＭＢＲとを含む、ＵＥ−ＡＭＢＲの複数の値を選択する。たとえば、上記で説明されたように、コアネットワークは、１次セル上のＤＬ通信とＵＬ通信の両方について１つのＡＭＢＲ値を選択し、２次セル上のＤＬ通信とＵＬ通信の両方について１つのＡＭＢＲ値を選択し得る。一例では、上記で説明されたように、コアネットワークは、どの値が１次セルのためのものであり、どの値が２次セルのためのものであるかの指示とともに、複数のＡＭＢＲ値をＲＡＮに（たとえば、ｅＮＢに）送り得る。別の例では、上記で説明されたように、コアネットワークは、１次セル上のＤＬ通信のための１つのＡＭＢＲ値と、１次セル上のＵＬ通信のための１つのＡＭＢＲ値と、２次セル上のＤＬ通信のための１つのＡＭＢＲ値と、２次セル上のＵＬ通信のための１つのＡＭＢＲ値とを選択し得る。
【０１０２】
[00123]図１３は、本開示の一態様による、ワイヤレス通信の方法のフローチャート１３００である。本方法は、コアネットワークエンティティ（たとえば、ＰＤＮゲートウェイ４１８、装置１５０２／１５０２’）によって実行され得る。コアネットワークエンティティは、認可スペクトルを利用する１次セルと、認可不要スペクトルを利用する２次セルとを含むＲＡＮに接続される。１３０２において、コアネットワークエンティティは、ＲＡＮから１つまたは複数のパケットを受信し、ここで、１つまたは複数のパケットのうちの少なくとも１つが、２次セルを介した通信に関連する指示を用いてマークされる。１３０４において、コアネットワークエンティティは、１つまたは複数のパケットに基づいて課金動作を決定する。たとえば、上記で説明されたように、ＲＡＮ（たとえば、ｅＮＢ）は、パケットが、認可スペクトル中の１次セル上で通信されたのか、認可不要スペクトル中の２次セル上で通信されたのかに関する情報を与える指示を用いてパケットをマークすることによって、明示的マーキングを与え得る。たとえば、上記で説明されたように、マーキングは、ルールを作成するためにコアネットワークを通して搬送され得る。１３０６において、コアネットワークは、以下で説明されるように追加の特徴を実行し得る。
【０１０３】
[00124]一態様では、指示は、１つまたは複数のパケットの少なくとも一部分が２次セルを介して通信されたことを示す。そのような態様では、１つまたは複数のパケットのうちの少なくとも１つは、対応するパケットの少なくとも一部分が２次セルを介して通信されたとき、指示を用いて１つまたは複数のパケットのうちの少なくとも１つをマークすることによってマークされる。たとえば、上記で説明されたように、指示は、パケットが、認可スペクトル中の１次セル上で通信されたのか、認可不要スペクトル中の２次セル上で通信されたのかに関する情報を与える。たとえば、上記で説明されたように、ＲＡＮ（たとえば、ｅＮＢ）は、どのパケットが認可アクセス上でまたは認可不要アクセス上でトランスポートされたかを識別し、指示を用いてそのようなパケットをマークする。
【０１０４】
[00125]一態様では、指示は、１次セル上の通信と２次セル上の通信との比率の指示を含む。そのような態様では、比率の指示は、２次セル上のＵＬ通信と２次セル上のＤＬ通信とのための比率値を含む。そのような態様では、比率の指示は、２次セル上のＵＬ通信のためのＵＬ比率値と、２次セル上のＤＬ通信のためのＤＬ比率値とを含む。たとえば、上記で説明されたように、ｅＮＢは、１次セル上で通信されるデータ量と２次セル上で通信されるデータ量との比率を示すために比率マーキングを与え得る。たとえば、上記で説明されたように、ＵＬパケットについての１次セルと２次セルとの間のデータ量の比率は、ＤＬパケットについての１次セルと２次セルとの間のデータ量の比率とは異なり得、したがって、別個の比率値がＵＬパケットについておよびＤＬパケットについて与えられ得る。
【０１０５】
[00126]一態様では、比率の指示はあらゆるパケット中でマークされる。一態様では、比率の指示は、比率の変化があるとき、対応するパケット中でマークされる。たとえば、上記で説明されたように、より正確な課金を与えるために、ｅＮＢは、コアネットワークに、１次セル上で送られているＵＬ上のパケット対２次セル上で送られているＵＬ上のパケットの比率の指示を用いて、データフローのＵＬパケットをマークする。たとえば、上記で説明されたように、ｅＮＢはあらゆるパケット中でそのような指示を与え得る。代替的に、たとえば、上記で説明されたように、ｅＮＢは、ｅＮＢによって定義されたパケット間隔に基づいてそのような指示を与え得る。一態様では、１つまたは複数のパケットは、それぞれの数値を用いてマークされ、数値の各々は、１つまたは複数のパケットの各々が、１次セル上で通信されたのか、２次セル上で通信されたのかを示し、ここで、比率は、ある時間期間にわたる数値に基づく。別の代替として、たとえば、上記で説明されたように、ｅＮＢは、値（たとえば、０または１）を用いて各パケットをマークし得、ここで、各値は、シグナリングされるコンポーネント（２次セル合計あるいはＵＬトラフィックまたはＤＬトラフィック）に対応し、したがって、シグナリングされるコンポーネントの比率は、時間とともに平均化される値の比率に基づいて決定され得る。一態様では、１つまたは複数のパケットはダミーパケットであり、ダミーパケットの各々は、１次セル上の通信と２次セル上の通信との比率の指示を含み、ダミーパケットはコアネットワークエンティティによって廃棄される。たとえば、上記で説明されたように、ＤＬコンポーネントのみを有する（およびＵＬコンポーネントを有しない）かまたはごく少数の（たとえば、課金情報を報告するために必要とされるＵＬパケットの数よりも少数の）ＵＬパケットを有し得るＳＤＦについて、ｅＮＢは、比率を決定するためにＰＤＮゲートウェイによって受信される（たとえば、知られているルーティング不可能な宛先ＩＰアドレスをもつ）ダミーパケットを生成し得る。
【０１０６】
[00127]図１４は、図１３のフローチャート１３００から展開する、ワイヤレス通信の方法のフローチャート１４００である。本方法は、コアネットワークエンティティ（たとえば、ＰＤＮゲートウェイ４１８、装置１５０２／１５０２’）によって実行され得る。１３０６において、フローチャート１４００は図１３のフローチャート１３００から展開される。１４０４において、コアネットワークエンティティは、アップリンクトラフィックとマッチするために使用されるＤＳＣＰ値を用いて、１つまたは複数のパケットをマークする。１４０６において、コアネットワークエンティティは、マークされた１つまたは複数のパケットをＴＤＦに送信する。たとえば、図１０に示されているように、動作３において、Ｐ−ＧＷ１００６は、ＤＳＣＰ値を用いて、このＧＴＰ−Ｕヘッダを含んでいるＩＰパケットをマークする。たとえば、図１０に示されているように、動作３において、ＤＳＣＰは、マークされたＩＰパケットをＴＤＦ１００８に送信し得る。一態様では、ＤＳＣＰ値は、対応するＤＳＣＰを用いてダウンリンクトラフィック中のパケットをマークするために第１のルールを作成し、対応するＤＳＣＰを用いてパケットのための課金およびアカウンティング命令を定義するために第２のルールを作成するために使用される。たとえば、上記で説明されたように、ＰＣＲＦは、ＤＳＣＰ値を用いてＤＬにおけるパケットをマークするためにＴＤＦ１００８が使用する新しいＡＤＣルールを作成する。たとえば、上記で説明されたように、ＰＣＲＦは、ＵＬおよびＤＬ通信におけるこのＤＳＣＰマーキングをもつパケットについて特定の課金およびアカウンティング命令を定義するための新しいＰＣＣルールを作成し、その新しいＰＣＣルールをＰ−ＧＷ１００６に与える。
【０１０７】
[00128]図１５は、例示的な装置１５０２中の異なる手段／構成要素間のデータフローを示す概念データフロー図１５００である。本装置はコアネットワークエンティティ（たとえば、ＰＤＮゲートウェイ４１８）であり得る。本装置は、受信構成要素１５０４と、送信構成要素１５０６と、許可構成要素１５０８と、ＡＭＢＲ構成要素１５１０と、課金構成要素１５１２と、マーキング構成要素１５１４とを含む。
【０１０８】
[00129]コアネットワークエンティティは、認可スペクトルを利用する１次セルと、認可不要スペクトルを利用する２次セルとを含むＲＡＮ（たとえば、ＲＡＮ１８５０）に接続される。１つの手法によれば、許可構成要素１５０８は、１５６０および１５６２において、データトラフィック特性に基づいて、データトラフィックが２次セルにオフロードされるための許可を決定し、許可の指示を送信構成要素１５０６を介してＲＡＮ１５５０に送信する。
【０１０９】
[00130]一態様では、許可の指示はＱＣＩを含み、ＱＣＩは、２次セルにオフロードされることを許可されたデータトラフィックに関連するオフロード指示を含む。一態様では、ＱＣＩは、１次セル上で送信されるデータトラフィックのための別のＱＣＩとは別個である。そのような態様では、オフロード指示は、データトラフィックがオフロードされることを許容されることを示す。そのような態様では、オフロード指示は、２次セルが利用可能であるときはいつでも、データトラフィックが２次セルにオフロードされるべきであることを示す。そのような態様では、オフロード指示は、２次セル上のアップリンク通信、２次セル上のダウンリンク通信、または２次セル上のアップリンク通信とダウンリンク通信の両方のうちの少なくとも１つに適用される。一態様では、許可の指示は、オフロードされることを許容されたベアラが、２次セルの上でルーティングされるように課金されることを示す。
【０１１０】
[00131]一態様では、コアネットワークエンティティは、ＲＡＮのためのセル特性に関連するポリシーをＰＣＲＦから受信することによって、データトラフィックが２次セルにオフロードされるための許可を決定し、ここで、許可の指示は、受信されたポリシーに基づいて決定される。そのような態様では、許可の指示は、１次セルを利用すべきなのか、２次セルを利用すべきなのか、１次セルと２次セルの両方を利用すべきなのかを示すために無線ベアラをマークすること、または受信されたポリシーに基づいて決定されたセル使用ルールを識別することのうちの少なくとも１つのために使用され、ここにおいて、１次セルおよび２次セルは、セル使用ルールに基づいて利用される。そのような態様では、許可の指示は、受信されたポリシーに基づいて決定されたセル使用ルールを含み、１次セルおよび２次セルは、セル使用ルールに基づいて利用される。そのような態様では、許可の指示は、通信がＵＬコンポーネントを有しないとき、またはＵＬパケットが、課金情報を報告するために必要とされるＵＬパケットの数よりも少数であり、および／または頻繁でないとき、ＵＬダミーパケットを生成するためにＲＡＮによって使用されるべきパケットフォーマットおよびパケット宛先アドレスの情報を含んでいる。そのような態様では、セル使用ルールは、１次セル上で通信されるべきデータの割合に対する２次セル上で通信されるべきデータの割合の数、または１次セル上で通信されるべきデータの最大量のうちの少なくとも１つを含む。そのような態様では、ポリシーは、デフォルト無線ベアラアクティブ化または専用無線ベアラアクティブ化のうちの少なくとも１つについて受信される。そのような態様では、セル特性に関連するポリシーまたは状態のうちの少なくとも１つの変化があるとき、ポリシーがＰＣＲＦから受信され、許可の指示は、受信されたポリシーに基づいて決定される。
【０１１１】
[00132]一態様では、許可の指示は、ＯＡＭプロトコルを介してＲＡＮに送信される。
【０１１２】
[00133]一態様では、ＡＭＢＲ構成要素１５１０は、１５６４および１５６２において、ユーザ機器について、１次セルのための第１のＡＭＢＲ値と、２次セルのための第２のＡＭＢＲ値とを決定し、第１のＡＭＢＲ値が１次セルのためのものであり、第２のＡＭＢＲ値が２次セルのためのものであるという指示とともに、第１のＡＭＢＲ値と第２のＡＭＢＲ値とを送信構成要素１５０６を介してＲＡＮ１５５０に送信する。ＡＭＢＲ構成要素１５１０はまた、１５６８および１５６６において、受信構成要素１５０４を介してＲＡＮ１５５０から通信を受信し得る。一態様では、第１のＡＭＢＲ値は、１次セルのための第１のアップリンクＡＭＢＲ値と第１のダウンリンクＡＭＢＲ値とを含み、第２のＡＭＢＲ値は、２次セルのための第２のアップリンクＡＭＢＲ値と第２のダウンリンクＡＭＢＲ値とを含む。
【０１１３】
[00134]別の手法によれば、受信構成要素１５０４は、１５６８において、ＲＡＮ１５５０から１つまたは複数のパケットを受信し、ここで、１つまたは複数のパケットのうちの少なくとも１つが、２次セルを介した通信に関連する指示を用いてマークされ、課金構成要素１５１２は、（たとえば、１５７０において受信構成要素１５０４から受信された）１つまたは複数のパケットに基づいて課金動作を決定する。課金構成要素１５１２は、１５７２において、１つまたは複数のパケットをマーキング構成要素１５１４にフォワーディングし得、および／または受信構成要素１５０４は、１５７４において、１つまたは複数のパケットをマーキング構成要素１５１４にフォワーディングし得る。
【０１１４】
[00135]一態様では、指示は、１つまたは複数のパケットの少なくとも一部分が２次セルを介して通信されたことを示す。そのような態様では、１つまたは複数のパケットのうちの少なくとも１つは、対応するパケットの少なくとも一部分が２次セルを介して通信されたとき、指示を用いて１つまたは複数のパケットの各々をマークすることによってマークされる。
【０１１５】
[00136]一態様では、マーキング構成要素１５１４は、１５７６および１５６４において、アップリンクトラフィックとマッチするために使用されるＤＳＣＰ値を用いて、１つまたは複数のパケットをマークし、ＲＡＮ１５５０を介してマークされた１つまたは複数のパケットを送信構成要素１５０６を介してＴＤＦに送信する。一態様では、ＤＳＣＰ値は、対応するＤＳＣＰを用いてダウンリンクトラフィック中のパケットをマークするために第１のルールを作成し、対応するＤＳＣＰを用いてパケットのための課金およびアカウンティング命令を定義するために第２のルールを作成するために使用される。
【０１１６】
[00137]一態様では、指示は、１次セル上の通信と２次セル上の通信との比率の指示を含む。そのような態様では、比率の指示は、２次セル上のＵＬ通信と２次セル上のＤＬ通信とのための比率値を含む。そのような態様では、比率の指示は、２次セル上のＵＬ通信のためのＵＬ比率値と、２次セル上のＤＬ通信のためのＤＬ比率値とを含む。一態様では、比率の指示はあらゆるパケット中でマークされる。一態様では、比率の指示は、比率の変化があるとき、対応するパケット中でマークされる。一態様では、１つまたは複数のパケットは、それぞれの数値を用いてマークされ、数値の各々は、１つまたは複数のパケットの各々が、１次セル上で通信されたのか、２次セル上で通信されたのかを示し、ここで、比率は、ある時間期間にわたる数値に基づく。
【０１１７】
[00138]一態様では、１つまたは複数のパケットはダミーパケットであり、ダミーパケットの各々は、１次セル上の通信と２次セル上の通信との比率の指示を含み、ダミーパケットはコアネットワークエンティティによって廃棄される。たとえば、１つまたは複数のパケットは、通信がＵＬコンポーネントを有しないかまたは少数の（たとえば、課金情報を報告するために必要とされるＵＬパケットの数よりも少数の）ＵＬパケットを有するときに生成されたＵＬダミーパケットであり得る。一態様では、ダミーパケットは、フォーマットにおいて１５６８を介してＲＡＮ１５５０によって受信構成要素１５０４に送られ、アドレスに宛てられ、ここで、フォーマットおよびアドレスは、２次セルへのオフローディングがコアネットワークによって許可されたとき、コアネットワークによってＲＡＮに通信される。一態様では、そのようなダミーパケットを受信すると、受信構成要素１５０４は、１５７０において、１次セル上の通信と２次セル上の通信との比率の指示を利用し、それを課金構成要素１５１２に受け渡し、受信構成要素１５０４はダミーパケットを廃棄する。
【０１１８】
[00139]本装置は、図１１〜図１４の上述のフローチャート中のアルゴリズムのブロックの各々を実行する追加の構成要素を含み得る。したがって、図１１〜図１４の上述のフローチャート中の各ブロックは、１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１９】
[00140]図１６は、処理システム１６１４を採用する装置１５０２’のためのハードウェア実装形態の一例を示す図１６００である。処理システム１６１４は、バス１６２４によって概略的に表されるバスアーキテクチャを用いて実装され得る。バス１６２４は、処理システム１６１４の特定の適用例および全体的な設計制約に応じて、任意の数の相互接続バスおよびブリッジを含み得る。バス１６２４は、プロセッサ１６０４によって表される１つまたは複数のプロセッサおよび／またはハードウェア構成要素と、構成要素１５０４、１５０６、１５０８、１５１０、１５１２、１５１４と、コンピュータ可読媒体／メモリ１６０６とを含む様々な回路を互いにリンクする。バス１６２４はまた、タイミングソース、周辺機器、電圧調整器、および電力管理回路など、様々な他の回路をリンクし得るが、これらの回路は当技術分野においてよく知られており、したがって、これ以上説明されない。
【０１２０】
[00141]処理システム１６１４はトランシーバ１６１０に結合され得る。トランシーバ１６１０は１つまたは複数のアンテナ１６２０に結合される。トランシーバ１６１０は、伝送媒体を介して様々な他の装置と通信するための手段を与える。トランシーバ１６１０は、１つまたは複数のアンテナ１６２０から信号を受信し、受信された信号から情報を抽出し、抽出された情報を処理システム１６１４、特に受信構成要素１５０４に与える。さらに、トランシーバ１６１０は、処理システム１６１４、特に送信構成要素１５０６から情報を受信し、受信された情報に基づいて、１つまたは複数のアンテナ１６２０に適用されるべき信号を生成する。処理システム１６１４は、コンピュータ可読媒体／メモリ１６０６に結合されたプロセッサ１６０４を含む。プロセッサ１６０４は、コンピュータ可読媒体／メモリ１６０６に記憶されたソフトウェアの実行を含む一般的な処理を担当する。ソフトウェアは、プロセッサ１６０４によって実行されたとき、処理システム１６１４に、特定の装置のための上記で説明された様々な機能を実行させる。コンピュータ可読媒体／メモリ１６０６はまた、ソフトウェアを実行するときにプロセッサ１６０４によって操作されるデータを記憶するために使用され得る。処理システム１６１４は、構成要素１５０４、１５０６、１５０８、１５１０、１５１２、１５１４のうちの少なくとも１つをさらに含む。それらの構成要素は、プロセッサ１６０４中で動作し、コンピュータ可読媒体／メモリ１６０６中に存在する／記憶されたソフトウェア構成要素であるか、プロセッサ１６０４に結合された１つまたは複数のハードウェア構成要素であるか、またはそれらの何らかの組合せであり得る。
【０１２１】
[00142]一構成では、ワイヤレス通信のための装置１５０２／１５０２’は、データトラフィック特性に基づいて、データトラフィックが２次セルにオフロードされるための許可を決定するための手段と、許可の指示をＲＡＮに送信するための手段と、ユーザ機器について、１次セルのための第１のＡＭＢＲ値と、２次セルのための第２のＡＭＢＲ値とを決定するための手段と、第１のＡＭＢＲ値が１次セルのためのものであり、第２のＡＭＢＲ値が２次セルのためのものであるという指示とともに、第１のＡＭＢＲ値と第２のＡＭＢＲ値とを基地局に送信するための手段とを含む。一態様では、ワイヤレス通信のための装置１５０２／１５０２’は、ＲＡＮから１つまたは複数のパケットを受信するための手段と、ここで、１つまたは複数のパケットのうちの少なくとも１つが、２次セルを介した通信に関連する指示を用いてマークされる、１つまたは複数のパケットに基づいて課金動作を決定するための手段と、アップリンクトラフィックとマッチするために使用されるＤＳＣＰ値を用いて、１つまたは複数のパケットをマークするための手段と、マークされた１つまたは複数のパケットをＴＤＦに送信するための手段とを含む。上述の手段は、上述の手段によって具陳された機能を実行するように構成された、装置１５０２、および／または装置１５０２’の処理システム１６１４の上述の構成要素のうちの１つまたは複数であり得る。
【０１２２】
[00143]図１７は、本開示の一態様による、ワイヤレス通信の方法のフローチャート１７００である。本方法は、ｅＮＢ（たとえば、１次セル４０６をサービスするｅＮＢ、装置２１０２／２１０２’）など、ＲＡＮエンティティによって実行され得る。１７０２において、ＲＡＮエンティティは、コアネットワークから、データトラフィックが、認可不要スペクトルを利用する２次セルにオフロードされるための許可のための指示を受信し、ここで、許可のための指示はデータトラフィック特性に基づく。１７０４において、ＲＡＮエンティティは、許可のための指示に基づいて、認可スペクトルを利用する１次セルまたは認可不要スペクトルを利用する２次セルのうちの少なくとも１つを介して通信することを決定し、１次セルおよび２次セルはＲＡＮ中に含まれる。たとえば、上記で説明されたように、コアネットワークは、あるデバイスのデータトラフィックが（たとえば、１次セルから）２次セルにオフロードされ得るかどうかを決定するように構成され得る。たとえば、上記で説明されたように、そのような許可およびアカウンティング決定を実装するために、コアネットワークは、特定のデータトラフィックが２次セルにオフロードされ得るかどうか（またはデータトラフィックのアグリゲーションが許容されるかどうか）をＲＡＮに示すことが可能であるべきである。１７０６において、ＲＡＮエンティティは、以下で説明されるように追加の特徴を実行し得る。
【０１２３】
[00144]一態様では、許可の指示はＱＣＩを含み、ここで、ＱＣＩは、２次セルにオフロードされることを許可されたデータトラフィックに関連するオフロード指示を含む。一態様では、ＱＣＩは、１次セル上で送信されるデータトラフィックのための別のＱＣＩとは別個である。たとえば、上記で説明されたように、コアネットワークは、２次セルにオフロードすることについてコアネットワークが許可するＳＤＦおよび／またはデータトラフィックに新しいＱＣＩ値を割り当てる。たとえば、上記で説明されたように、新しいＱＣＩ値に基づいて、ＲＡＮ（たとえばｅＮＢ）は、どのデータトラフィックが２次セルにオフロードされ得るかを決定する。一態様では、オフロード指示は、データトラフィックがオフロードされることを許容されることを示す。たとえば、上記で説明されたように、コアネットワークが、データフローが２次セルにオフロードされることを許可したことを示すために、新しいＱＣＩとして、ＳＤＦへの認可不要アクセスＱＣＩと呼ばれる別個のＱＣＩ。たとえば、上記で説明されたように、（従来の）ＱＣＩが、２次セルへのオフロード能力を示す新しいＱＣＩ値を含むように増補される。一態様では、オフロード指示は、２次セルが利用可能であるときはいつでも、データトラフィックが２次セルにオフロードされるべきであることを示す。たとえば、上記で説明されたように、別の態様によれば、認可不要アクセスＱＣＩは、２次セルが利用可能であるときはいつでも、データフローが２次セル（たとえば、２次セル４０８）にオフロードされることをコアネットワーク（たとえば、ＥＰＣ４１０）が要求することを示す。たとえば、上記で説明されたように、ＱＣＩ中の新しいＱＣＩ値は、ＳＤＦについて、ＳＤＦへのオフローディングが、ＵＬ通信に適用されるのか、ＤＬ通信に適用されるのか、ＵＬ通信とＤＬ通信の両方に適用されるのかを指定し得る。一態様では、オフロード指示は、２次セル上のアップリンク通信、２次セル上のダウンリンク通信、または２次セル上のアップリンク通信とダウンリンク通信の両方のうちの少なくとも１つに適用される。たとえば、上記で説明されたように、認可不要アクセスＱＣＩは、ＳＤＦについて、ＳＤＦへのオフローディングが、ＵＬ通信に適用されるのか、ＤＬ通信に適用されるのか、ＵＬ通信とＤＬ通信の両方に適用されるのかを指定し得る。
【０１２４】
[00145]一態様では、許可の指示は、オフロードされることを許容されたベアラが、２次セルの上でルーティングされるように課金されることを示す。たとえば、上記で説明されたように、コアネットワーク（たとえば、Ｐ−ＧＷ）は、データパケットが２次セルの上でルーティングされるかのようにオフロード可能ベアラのデータ使用に課金する。
【０１２５】
[00146]一態様では、許可の指示は、ＰＣＲＦからのポリシーに基づいて決定されたセル使用ルールを含み、ポリシーはＲＡＮのためのセル特性に関連し、１次セルおよび２次セルは、セル使用ルールに基づいて利用される。そのような態様では、許可の指示は、１次セルを利用すべきなのか、２次セルを利用すべきなのか、１次セルと２次セルの両方を利用すべきなのかを示すために無線ベアラをマークすること、または受信されたポリシーに基づいて決定されたセル使用ルールを識別することのうちの少なくとも１つのために使用され、ここにおいて、１次セルおよび２次セルは、セル使用ルールに基づいて利用される。そのような態様では、セル使用ルールは、１次セル上で通信されるべきデータの割合に対する２次セル上で通信されるべきデータの割合の数、または１次セル上で通信されるべきデータの最大量のうちの少なくとも１つを含む。たとえば、上記で説明されたように、２次セルがサービングネットワーク中でサポートされる場合、ＰＣＲＦ（ローミングする場合は訪問先ＰＣＲＦ）は、各フローについて、（認可不要アクセスのための）２次セルが使用され得るかまたは使用されるべきである（たとえば、使用されることを要求される）かどうかを示すために、Ｇｘインターフェースを介してＰＣＥＦにインジケータを与える。たとえば、上記で説明されたように、Ｐ−ＧＷは、セル特性固有ポリシーに基づいてセル特性固有使用のいくつかのルール（セル特性固有使用ルール）を決定し、（たとえば、Ｓ−ＧＷおよびＭＭＥを介して）ｅＮＢにこれらのセル特性固有使用ルールをフォワーディングする。たとえば、上記で説明されたように、ＰＣＲＦは、データトラフィックがオフローディングを許容されるか、またはトラフィックがオフロードされることを要求されることを示すために、インジケータを与える。たとえば、上記で説明されたように、インジケータ情報を受信した後、ＰＤＮゲートウェイにおけるＰＣＥＦは、データトラフィックが認可不要アクセスのための２次セルにオフロードされ得るかまたはオフロードされるべきであるという指示を用いて、（１つまたは複数の）ベアラをマークする。たとえば、上記で説明されたように、セル特性固有使用ルールは、たとえば、（認可スペクトル中の）１次セル上で送信されるデータ量に対する、（認可不要スペクトル中の）２次セル上で送信されるデータ量の所望の割合（たとえば、５０％）を含み得る。たとえば、上記で説明されたように、セル特性固有使用ルールは、１次セル上で通信されることを許容される（たとえば、バイト単位での）最大データ量を含み得る。
【０１２６】
[00147]そのような態様では、ポリシーは、デフォルト無線ベアラアクティブ化または専用無線ベアラアクティブ化のうちの少なくとも１つのためのものである。たとえば、上記で説明されたように、Ｐ−ＧＷは、２次セル上でデータをスケジュールすることに関する命令／ポリシーを与え得る。命令はＥＰＳベアラごとにおよび／またはデータフローごとに与えられ得る。たとえば、上記で説明されたように、命令は、デフォルトＥＰＳベアラアクティブ化および／または専用ＥＰＳベアラアクティブ化および／またはデフォルト／専用ＥＰＳベアラ変更中に与えられ得る。
【０１２７】
[00148]そのような態様では、セル使用ルールは、ＭＭＥと基地局との間のＳ１−ＡＰセットアップ中にＭＭＥから受信される。そのような態様では、セル使用ルールは、ＭＭＥから送られた初期コンテキストセットアップ要求またはコンテキスト変更メッセージのうちの少なくとも１つを介してＭＭＥから受信される。たとえば、上記で説明されたように、ＭＭＥは、ＭＭＥからの明示的指示としてセル特性固有使用ルールをＲＡＮに与えるように構成される。たとえば、上記で説明されたように、ＭＭＥは、あらゆるＵＥについて、ＭＭＥとｅＮＢとの間のＳ１−ＡＰコンテキストセットアップ中にセル特性固有使用ルールを与える。
【０１２８】
[00149]一態様では、許可の指示はＯＡＭプロトコルを介して受信される。たとえば、上記で説明されたように、ＲＡＮは、ＯＡＭ機能を介してセル特性固有使用ルールを用いて（たとえば、コアネットワークによって）構成され得る。
【０１２９】
[00150]図１８は、図１７のフローチャート１７００から展開する、ワイヤレス通信の方法のフローチャート１８００である。本方法は、ｅＮＢ（たとえば、１次セル４０６をサービスするｅＮＢ、装置２１０２／２１０２’）など、ＲＡＮエンティティによって実行され得る。１７０６において、フローチャート１８００は図１７のフローチャート１７００から展開される。１８０４において、ＲＡＮエンティティは、第１のＡＭＢＲ値が１次セルのためのものであり、第２のＡＭＢＲ値が２次セルのためのものであるという指示とともに、１次セルのための第１のＡＭＢＲ値と２次セルのための第２のＡＭＢＲ値とを受信する。一態様では、１次セルまたは２次セルのうちの少なくとも１つを介して通信することを決定することは、第１のＡＭＢＲ値または第２のＡＭＢＲ値のうちの少なくとも１つにさらに基づく。一態様では、第１のＡＭＢＲ値は、１次セルのための第１のアップリンクＡＭＢＲ値と第１のダウンリンクＡＭＢＲ値とを含み、第２のＡＭＢＲ値は、２次セルのための第２のアップリンクＡＭＢＲ値と第２のダウンリンクＡＭＢＲ値とを含む。たとえば、上記で説明されたように、コアネットワーク（たとえばＰＣＲＦ、ＰＤＮ  ＧＷ、またはＭＭＥ）は、１次セル（認可アクセス）のための少なくとも１つのＵＥ−ＡＭＢＲと、２次セル（認可不要アクセス）のための少なくとも１つのＵＥ−ＡＭＢＲとを含む、ＵＥ−ＡＭＢＲの複数の値を選択する。たとえば、上記で説明されたように、コアネットワークは、１次セル上のＤＬ通信とＵＬ通信の両方について１つのＡＭＢＲ値を選択し、２次セル上のＤＬ通信とＵＬ通信の両方について１つのＡＭＢＲ値を選択し得る。一例では、上記で説明されたように、コアネットワークは、どの値が１次セルのためのものであり、どの値が２次セルのためのものであるかの指示とともに、複数のＡＭＢＲ値をＲＡＮに（たとえば、ｅＮＢに）送り得る。別の例では、上記で説明されたように、コアネットワークは、１次セル上のＤＬ通信のための１つのＡＭＢＲ値と、１次セル上のＵＬ通信のための１つのＡＭＢＲ値と、２次セル上のＤＬ通信のための１つのＡＭＢＲ値と、２次セル上のＵＬ通信のための１つのＡＭＢＲ値とを選択し得る。
【０１３０】
[00151]図１９は、本開示の一態様による、ワイヤレス通信の方法のフローチャート１９００である。本方法は、認可スペクトルを利用する１次セルと、認可不要スペクトルを利用する２次セルとを含むＲＡＮエンティティによって実行され得る。たとえば、本方法は、ｅＮＢ（たとえば、１次セル４０６をサービスするｅＮＢ、装置２１０２／２１０２’）など、ＲＡＮエンティティによって実行され得る。ＲＡＮエンティティは認可スペクトル中の１次セルをサービスする。１９０２において、ＲＡＮエンティティは、２次セルを介した通信に関連する指示を追加することによって、１つまたは複数のパケットのうちの少なくとも１つをマークする。１９０４において、ＲＡＮエンティティは、１つまたは複数のパケットのうちのマークされた少なくとも１つをコアネットワークに送信する。たとえば、上記で説明されたように、ＲＡＮ（たとえば、ｅＮＢ）は、パケットが、認可スペクトル中の１次セル上で通信されたのか、認可不要スペクトル中の２次セル上で通信されたのかに関する情報を与える指示を用いてパケットをマークすることによって、明示的マーキングを与え得る。たとえば、上記で説明されたように、マーキングは、ルールを作成するためにコアネットワークを通して搬送され得る。１９０６において、コアネットワークは、以下で説明されるように追加の特徴を実行し得る。
【０１３１】
[00152]一態様では、指示は、１つまたは複数のパケットの少なくとも一部分が２次セルを介して通信されたことを示す。そのような態様では、１つまたは複数のパケットのうちの少なくとも１つをマークすることは、対応するパケットの少なくとも一部分が２次セルを介して通信されたとき、指示を用いて１つまたは複数のパケットのうちの少なくとも１つをマークすることを備える。たとえば、上記で説明されたように、指示は、パケットが、認可スペクトル中の１次セル上で通信されたのか、認可不要スペクトル中の２次セル上で通信されたのかに関する情報を与える。たとえば、上記で説明されたように、ＲＡＮ（たとえば、ｅＮＢ）は、どのパケットが認可アクセス上でまたは認可不要アクセス上でトランスポートされたかを識別し、指示を用いてそのようなパケットをマークする。
【０１３２】
[00153]一態様では、指示は、１次セル上の通信と２次セル上のの通信との比率の指示を含む。そのような態様では、比率の指示は、２次セル上のＵＬ通信と２次セル上のＤＬ通信とのための比率値を含む。そのような態様では、比率の指示は、２次セル上のＵＬ通信のためのＵＬ比率値と、２次セル上のＤＬ通信のためのＤＬ比率値とを含む。たとえば、上記で説明されたように、ｅＮＢは、１次セル上で通信されるデータ量と２次セル上で通信されるデータ量との比率を示すために比率マーキングを与え得る。たとえば、上記で説明されたように、ＵＬパケットについての１次セルと２次セルとの間のデータ量の比率は、ＤＬパケットについての１次セルと２次セルとの間のデータ量の比率とは異なり得、したがって、別個の比率値がＵＬパケットについておよびＤＬパケットについて与えられ得る。
【０１３３】
[00154]一態様では、比率の指示はあらゆるパケット中でマークされる。一態様では、比率の指示は、比率の変化があるとき、対応するパケット中でマークされる。たとえば、上記で説明されたように、より正確な課金を与えるために、ｅＮＢは、コアネットワークに、１次セル上で送られているＵＬ上のパケット対２次セル上で送られているＵＬ上のパケットの比率の指示を用いて、データフローのＵＬパケットをマークする。たとえば、上記で説明されたように、ｅＮＢはあらゆるパケット中でそのような指示を与え得る。代替的に、たとえば、上記で説明されたように、ｅＮＢは、ｅＮＢによって定義されたパケット間隔に基づいてそのような指示を与え得る。一態様では、１つまたは複数のパケットはダミーパケットであり、ダミーパケットの各々は、１次セル上の通信と２次セル上の通信との比率の指示を含み、ダミーパケットはコアネットワークエンティティまでフォワーディングされる。たとえば、上記で説明されたように、ＤＬコンポーネントのみを有する（およびＵＬコンポーネントを有しない）かまたはごく少数の（たとえば、課金情報を報告するために必要とされるＵＬパケットの数よりも少数の）ＵＬパケットを有し得るＳＤＦについて、ｅＮＢは、比率を決定するためにＰＤＮゲートウェイによって受信される（たとえば、知られているルーティング不可能な宛先ＩＰアドレスをもつ）ダミーパケットを生成し得る。
【０１３４】
[00155]図２０は、図１９のフローチャート１９００から展開する、ワイヤレス通信の方法のフローチャート２０００である。本方法は、ｅＮＢ（たとえば、１次セル４０６をサービスするｅＮＢ、装置２１０２／２１０２’）など、ＲＡＮエンティティによって実行され得る。１９０６において、フローチャート２０００は図１９のフローチャート１９００から展開される。２００２において、ＲＡＮエンティティは、それぞれの数値を用いて１つまたは複数のパケットをマークし、数値の各々は、１つまたは複数のパケットの各々が、１次セル上で通信されたのか、２次セル上で通信されたのかを示す。一態様では、比率は、ある時間期間にわたる数値に基づく。たとえば、上記で説明されたように、ｅＮＢは、値（たとえば、０または１）を用いて各パケットをマークし得、ここで、各値は、シグナリングされるコンポーネント（２次セル合計あるいはＵＬトラフィックまたはＤＬトラフィック）に対応し、したがって、シグナリングされるコンポーネントの比率は、時間とともに平均化される値の比率に基づいて決定され得る。
【０１３５】
[00156]図２１は、例示的な装置２１０２中の異なる手段／構成要素間のデータフローを示す概念データフロー図２１００である。本装置は、ｅＮＢなど、ＲＡＮエンティティであり得る。本装置は、受信構成要素２１０４と、送信構成要素２１０６と、通信管理構成要素２１０８と、ＡＭＢＲ構成要素２１１０と、マーキング構成要素２１１２とを含む。
【０１３６】
[00157]１つの手法によれば、通信管理構成要素２１０８は、２１６２および２１６４において、コアネットワーク２１５０から受信構成要素２１０４を介して、データトラフィックが、認可不要スペクトルを利用する２次セルにオフロードされるための許可のための指示を受信し、ここで、許可のための指示はデータトラフィック特性に基づく。通信管理構成要素２１０８は、許可のための指示に基づいて、認可スペクトルを利用する１次セルまたは認可不要スペクトルを利用する２次セルのうちの少なくとも１つを介して通信することを決定し、１次セルおよび２次セルはＲＡＮ中に含まれる。通信管理構成要素２１０８は、２１６４および２１６６において、受信構成要素２１０４と送信構成要素とを使用して通信し得る。
【０１３７】
[00158]一態様では、許可の指示はＱＣＩを含み、ここで、ＱＣＩは、２次セルにオフロードされることを許可されたデータトラフィックに関連するオフロード指示を含む。一態様では、ＱＣＩは、１次セル上で送信されるデータトラフィックのための別のＱＣＩとは別個である。一態様では、オフロード指示は、データトラフィックがオフロードされることを許容されることを示す。一態様では、オフロード指示は、２次セルが利用可能であるときはいつでも、データトラフィックが２次セルにオフロードされるべきであることを示す。一態様では、オフロード指示は、２次セル上のアップリンク通信、２次セル上のダウンリンク通信、または２次セル上のアップリンク通信とダウンリンク通信の両方のうちの少なくとも１つに適用される。一態様では、許可の指示は、オフロードされることを許容されたベアラが、２次セルの上でルーティングされるように課金されることを示す。
【０１３８】
[00159]一態様では、許可の指示は、ＰＣＲＦからのポリシーに基づいて決定されたセル使用ルールを含み、ポリシーはＲＡＮのためのセル特性に関連し、１次セルおよび２次セルは、セル使用ルールに基づいて利用される。そのような態様では、許可の指示は、１次セルを利用すべきなのか、２次セルを利用すべきなのか、１次セルと２次セルの両方を利用すべきなのかを示すために無線ベアラをマークすること、または受信されたポリシーに基づいて決定されたセル使用ルールを識別することのうちの少なくとも１つのために使用され、ここにおいて、１次セルおよび２次セルは、セル使用ルールに基づいて利用される。そのような態様では、セル使用ルールは、１次セル上で通信されるべきデータの割合に対する２次セル上で通信されるべきデータの割合の数、または１次セル上で通信されるべきデータの最大量のうちの少なくとも１つを含む。そのような態様では、ポリシーは、デフォルト無線ベアラアクティブ化または専用無線ベアラアクティブ化のうちの少なくとも１つのためのものである。そのような態様では、セル使用ルールは、ＭＭＥと基地局との間のあらゆるＳ１−ＡＰセットアップ中にＭＭＥから受信される。そのような態様では、セル使用ルールは、ＭＭＥから送られた初期コンテキストセットアップ要求またはコンテキスト変更メッセージのうちの少なくとも１つを介してＭＭＥから受信される。
【０１３９】
[00160]一態様では、許可の指示はＯＡＭプロトコルを介して受信される。
【０１４０】
[00161]一態様では、ＡＭＢＲ構成要素２１１０は、２１６２および２１６８において、受信構成要素２１０４を介して、第１のＡＭＢＲ値が１次セルのためのものであり、第２のＡＭＢＲ値が２次セルのためのものであるという指示とともに、１次セルのための第１のＡＭＢＲ値と２次セルのための第２のＡＭＢＲ値とを受信する。ＡＭＢＲ構成要素２１１０は、２１７０において、第１のＡＭＢＲ値と第２のＡＭＢＲ値とを通信管理構成要素２１０８にフォワーディングし得る。一態様では、通信管理構成要素２１０８は、第１のＡＭＢＲ値または第２のＡＭＢＲ値のうちの少なくとも１つにさらに基づいて、１次セルまたは２次セルのうちの少なくとも１つを介して通信することを決定し得る。一態様では、第１のＡＭＢＲ値は、１次セルのための第１のアップリンクＡＭＢＲ値と第１のダウンリンクＡＭＢＲ値とを含み、第２のＡＭＢＲ値は、２次セルのための第２のアップリンクＡＭＢＲ値と第２のダウンリンクＡＭＢＲ値とを含む。
【０１４１】
[00162]別の手法によれば、ｅＮＢが、認可スペクトルを利用する１次セルと認可不要スペクトルを利用する２次セルとを含むＲＡＮ中で動作する場合、マーキング構成要素２１１２は、２次セルを介した通信に関連する指示を追加することによって、１つまたは複数のパケットのうちの少なくとも１つをマークする。マーキング構成要素２１１２は、２１７２において、受信構成要素２１０４から１つまたは複数のパケットを受信し得る。マーキング構成要素２１１２は、２１７４および２１７６において、送信構成要素２１０６を介して１つまたは複数のパケットのうちのマークされた少なくとも１つをコアネットワーク２１５０に送信する。
【０１４２】
[00163]一態様では、指示は、１つまたは複数のパケットの少なくとも一部分が２次セルを介して通信されたことを示す。そのような態様では、１つまたは複数のパケットのうちの少なくとも１つをマークすることは、対応するパケットの少なくとも一部分が２次セルを介して通信されたとき、指示を用いて１つまたは複数のパケットのうちの少なくとも１つをマークすることを備える。
【０１４３】
[00164]一態様では、指示は、１次セル上の通信と２次セル上の通信との比率の指示を含む。そのような態様では、比率の指示は、２次セル上のＵＬ通信と２次セル上のＤＬ通信とのための比率値を含む。そのような態様では、比率の指示は、２次セル上のＵＬ通信のためのＵＬ比率値と、２次セル上のＤＬ通信のためのＤＬ比率値とを含む。そのような態様では、比率の指示はあらゆるパケット中でマークされる。そのような態様では、比率の指示は、比率の変化があるとき、対応するパケット中でマークされる。
【０１４４】
[00165]一態様では、マーキング構成要素２１１２は、それぞれの数値を用いて１つまたは複数のパケットをマークし、数値の各々は、１つまたは複数のパケットの各々が、１次セル上で通信されたのか、２次セル上で通信されたのかを示す。一態様では、比率は、ある時間期間にわたる数値に基づく。一態様では、１つまたは複数のパケットはダミーパケットであり、ダミーパケットの各々は、１次セル上の通信と２次セル上の通信との比率の指示を含み、ダミーパケットはコアネットワークエンティティまでフォワーディングされる。たとえば、１つまたは複数のパケットは、通信がＵＬコンポーネントを有しないかまたは少数の（たとえば、課金情報を報告するために必要とされるＵＬパケットの数よりも少数の）ＵＬパケットを有するときに生成されたＵＬダミーパケットであり得る。一態様では、ダミーパケットは、２１７４および２１７６において、フォーマットにおいて送信構成要素２１０６によってコアネットワーク２１５０に送られ、アドレスに宛てられ、ここで、フォーマットおよびアドレスは、２次セルへのオフローディングがコアネットワークによって許可されたとき、コアネットワークによってＲＡＮに通信される。
【０１４５】
[00166]本装置は、図１７〜図２０の上述のフローチャート中のアルゴリズムのブロックの各々を実行する追加の構成要素を含み得る。したがって、図１７〜図２０の上述のフローチャート中の各ブロックは、１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１４６】
[00167]図２２は、処理システム２２１４を採用する装置２１０２’のためのハードウェア実装形態の一例を示す図２２００である。処理システム２２１４は、バス２２２４によって概略的に表されるバスアーキテクチャを用いて実装され得る。バス２２２４は、処理システム２２１４の特定の適用例および全体的な設計制約に応じて、任意の数の相互接続バスおよびブリッジを含み得る。バス２２２４は、プロセッサ２２０４によって表される１つまたは複数のプロセッサおよび／またはハードウェア構成要素と、構成要素２１０４、２１０６、２１０８、２１１０、２１１２と、コンピュータ可読媒体／メモリ２２０６とを含む様々な回路を互いにリンクする。バス２２２４はまた、タイミングソース、周辺機器、電圧調整器、および電力管理回路など、様々な他の回路をリンクし得るが、これらの回路は当技術分野においてよく知られており、したがって、これ以上説明されない。
【０１４７】
[00168]処理システム２２１４はトランシーバ２２１０に結合され得る。トランシーバ２２１０は１つまたは複数のアンテナ２２２０に結合される。トランシーバ２２１０は、伝送媒体を介して様々な他の装置と通信するための手段を与える。トランシーバ２２１０は、１つまたは複数のアンテナ２２２０から信号を受信し、受信された信号から情報を抽出し、抽出された情報を処理システム２２１４、特に受信構成要素２１０４に与える。さらに、トランシーバ２２１０は、処理システム２２１４、特に送信構成要素２１０６から情報を受信し、受信された情報に基づいて、１つまたは複数のアンテナ２２２０に適用されるべき信号を生成する。処理システム２２１４は、コンピュータ可読媒体／メモリ２２０６に結合されたプロセッサ２２０４を含む。プロセッサ２２０４は、コンピュータ可読媒体／メモリ２２０６に記憶されたソフトウェアの実行を含む一般的な処理を担当する。ソフトウェアは、プロセッサ２２０４によって実行されたとき、処理システム２２１４に、特定の装置のための上記で説明された様々な機能を実行させる。コンピュータ可読媒体／メモリ２２０６はまた、ソフトウェアを実行するときにプロセッサ２２０４によって操作されるデータを記憶するために使用され得る。処理システム２２１４は、構成要素２１０４、２１０６、２１０８、２１１０、２１１２のうちの少なくとも１つをさらに含む。それらの構成要素は、プロセッサ２２０４中で動作し、コンピュータ可読媒体／メモリ２２０６中に存在する／記憶されたソフトウェア構成要素であるか、プロセッサ２２０４に結合された１つまたは複数のハードウェア構成要素であるか、またはそれらの何らかの組合せであり得る。処理システム２２１４は、ｅＮＢ３１０の構成要素であり得、メモリ３７６、および／またはＴＸプロセッサ３１６と、ＲＸプロセッサ３７０と、コントローラ／プロセッサ３７５とのうちの少なくとも１つを含み得る。
【０１４８】
[00169]一構成では、ワイヤレス通信のための装置２１０２／２１０２’は、コアネットワークから、データトラフィックが、認可不要スペクトルを利用する２次セルにオフロードされるための許可のための指示を受信するための手段のための手段と、ここにおいて、許可のための指示はデータトラフィック特性に基づく、許可のための指示に基づいて、認可スペクトルを利用する１次セルまたは認可不要スペクトルを利用する２次セルのうちの少なくとも１つを介して通信することを決定するための手段と、１次セルおよび２次セルはＲＡＮ中に含まれる、第１のＡＭＢＲ値が１次セルのためのものであり、第２のＡＭＢＲ値が２次セルのためのものであるという指示とともに、１次セルのための第１のＡＭＢＲ値と２次セルのための第２のＡＭＢＲ値とを受信するための手段とを含む。一態様では、ワイヤレス通信のための彼装置２１０２／２１０２’は、２次セルを介した通信に関連する指示を追加することによって、１つまたは複数のパケットのうちの少なくとも１つをマークするための手段と、１つまたは複数のパケットのうちのマークされた少なくとも１つをコアネットワークに送信するための手段と、それぞれの数値を用いて１つまたは複数のパケットをマークするための手段と、数値の各々は、１つまたは複数のパケットの各々が、１次セル上で通信されたのか、２次セル上で通信されたのかを示す、を含む。上述の手段は、上述の手段によって具陳された機能を実行するように構成された、装置２１０２、および／または装置２１０２’の処理システム２２１４の上述の構成要素のうちの１つまたは複数であり得る。上記で説明されたように、処理システム２２１４は、ＴＸプロセッサ３１６と、ＲＸプロセッサ３７０と、コントローラ／プロセッサ３７５とを含み得る。したがって、一構成では、上述の手段は、上述の手段によって具陳された機能を実行するように構成された、ＴＸプロセッサ３１６と、ＲＸプロセッサ３７０と、コントローラ／プロセッサ３７５とであり得る。
【０１４９】
[00170]開示されるプロセス／フローチャート中のブロックの特定の順序または階層は、例示的な手法の一例であることを理解されたい。設計選好に基づいて、プロセス／フローチャート中のブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【０１５０】
[00171]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されたいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
【図１】
2018522496.tif 000003
【図２Ａ】
2018522496.tif 000004
【図２Ｂ】
2018522496.tif 000005
【図２Ｃ】
2018522496.tif 000006
【図２Ｄ】
2018522496.tif 000007
【図３】
2018522496.tif 000008
【図４】
2018522496.tif 000009
【図５】
2018522496.tif 000010
【図６】
2018522496.tif 000011
【図７】
2018522496.tif 000012
【図８】
2018522496.tif 000013
【図９】
2018522496.tif 000014
【図１０】
2018522496.tif 000015
【図１１】
2018522496.tif 000016
【図１２】
2018522496.tif 000017
【図１３】
2018522496.tif 000018
【図１４】
2018522496.tif 000019
【図１５】
2018522496.tif 000020
【図１６】
2018522496.tif 000021
【図１７】
2018522496.tif 000022
【図１８】
2018522496.tif 000023
【図１９】
2018522496.tif 000024
【図２０】
2018522496.tif 000025
【図２１】
2018522496.tif 000026
【図２２】
2018522496.tif 000027
【国際調査報告】
2018522496.tif 000028
2018522496.tif 000029
2018522496.tif 000030
2018522496.tif 000031
2018522496.tif 000032
2018522496.tif 000033
2018522496.tif 000034